(57)【要約】  通信ネットワーク（１００）は、ノード（＃１〜＃４）を含む通信ネットワークである。通信ネットワーク（１００）は、経路（１１０）のように、ノード（＃１）を起点としてノード（＃２〜＃４）の分散補償設計を行う。ノード（＃１）は、通過させる光信号に対して可変の分散補償量によって分散補償を行う可変分散補償器を有する。ノード（＃２〜＃４）は、ノード（＃１）を通過した光信号の残留分散量を所定の基準残留分散量となして選択される固定分散補償器を有する。
2009008042.tif 000002
【特許請求の範囲】
【請求項１】
起点ノードと、前記起点ノードを起点として分散補償設計を行う複数のノードと、を含む通信ネットワークであって、
通過させる光信号の残留分散量が所定の基準残留分散量となるように可変の分散補償量によって分散補償を行う可変分散補償器を有する起点ノードと、
前記基準残留分散量を基準として選択される固定分散補償器を有する複数のノードと、
を備えることを特徴とする通信ネットワーク。
【請求項２】
前記固定分散補償器は、前記起点ノードから出力された光信号を通過させ、通過させた光信号の残留分散量が前記基準残留分散量を基準とした所定の範囲内となる固定の分散補償量によって分散補償を行うことを特徴とする請求項１に記載の通信ネットワーク。
【請求項３】
前記可変分散補償器は、前記複数のノードのうち、前記起点ノードの前段のノードから出力された光信号の残留分散量が前記基準残留分散量となる分散補償量に設定されることを特徴とする請求項１に記載の通信ネットワーク。
【請求項４】
前記起点ノードと前記複数のノードとがリング状に接続されることを特徴とする請求項１〜３のいずれか一つに記載の通信ネットワーク。
【請求項５】
前記起点ノードは、他の通信ネットワークと接続するハブノードであることを特徴とする請求項１〜３のいずれか一つに記載の通信ネットワーク。
【請求項６】
前記他の通信ネットワークは、前記ハブノードを起点として分散補償設計を行う複数のノードを含む通信ネットワークであることを特徴とする請求項５に記載の通信ネットワーク。
【請求項７】
請求項１〜３のいずれか一つに記載の通信ネットワークが備える前記起点ノードおよび前記複数のノードのうちいずれかのノードと接続するハブノードを備える通信ネットワークであって、
前記ハブノードは、通過させる光信号に対して可変の分散補償量によって分散補償を行う可変分散補償器を有することを特徴とする通信ネットワーク。
【請求項８】
可変分散補償器を有する起点ノードと、固定分散補償器を有する複数のノードと、を含む通信ネットワークの分散補償の設計方法であって、
前記起点ノードを通過した光信号の残留分散量を基準残留分散量として前記複数のノードが有するそれぞれの固定分散補償器を選択する選択工程と、
前記可変分散補償器の分散補償量を設定する設定工程と、
を含むことを特徴とする設計方法。
【請求項９】
前記設定工程では、前記複数のノードのうち、前記起点ノードの前段のノードから出力された光信号の残留分散量が前記基準残留分散量となる分散補償量に設定されることを特徴とする請求項８に記載の設計方法。
【発明の詳細な説明】
【技術分野】
【０００１】
この発明は、起点ノードを起点として分散補償設計を行う通信ネットワークおよび設計方法に関する。
【背景技術】
【０００２】
近年の通信ネットワークにおけるトラフィック増加を背景として、波長分割多重（ＷＤＭ：Ｗａｖｅｌｅｎｇｔｈ  Ｄｉｖｉｓｉｏｎ  Ｍｕｌｔｉｐｌｅｘｉｎｇ）伝送装置への需要が高まっている。最近では、地域網（メトロ網）においてもＷＤＭ伝送装置の導入が活発に行われている。【０００３】
地域網の特徴としてリング型の通信ネットワークの形態が取られることが多いが、今後、トラフィックの需要に柔軟に対応するためにメッシュ型の通信ネットワークに移行していくことが予測される。１０Ｇｂ／ｓ以上の光信号を長距離伝送する場合、光ファイバが持つ波長分散や光ファイバ中で発生する自己位相変調（ＳＰＭ：Ｓｅｌｆ  Ｐｈａｓｅ  Ｍｏｄｕｌａｔｉｏｎ）などの非線形光学効果により光波形が劣化する。【０００４】
波長分散による光波形の劣化を補償するために、分散補償器による分散補償を行う必要がある。分散補償器には、分散補償ファイバ（ＤＣＦ：Ｄｉｓｐｅｒｓｉｏｎ  Ｃｏｍｐｅｎｓａｔｉｎｇ  Ｆｉｂｅｒ）などの分散補償量が固定のものや、ＶＩＰＡ（Ｖｉｒｔｕａｌｌｙ  Ｉｍａｇｅｄ  Ｐｈａｓｅｄ  Ａｒｒａｙ）型の可変分散補償器などの分散補償量が可変のものなどが利用されている。【０００５】
また、リング型やメッシュ型の通信ネットワークにおいて、他の通信ネットワークから送信された光信号を挿入したり、光信号を他の通信ネットワークへ分岐したりするＯＡＤＭ（Ｏｐｔｉｃａｌ  Ａｄｄ  Ｄｒｏｐ  Ｍｕｌｔｉｐｌｅｘｏｒ）が用いられている（たとえば、下記特許文献１，２参照。）。【０００６】
図１４は、従来のリング型の通信ネットワークの機能的構成を示すブロック図である。図１４に示すように、従来の通信ネットワーク１４００は、リング状に接続された４個のノード＃１〜＃４によって構成されたＲＯＡＤＭ（Ｒｅｃｏｎｆｉｇｕｒａｂｌｅ  ＯＡＤＭ）である。ＲＯＡＤＭは、ＯＡＤＭの一形態で、遠隔波長制御可能な波長多重化装置である。【０００７】
通信ネットワーク１４００は、光信号を波長多重したＷＤＭ光信号を伝送し、ＷＤＭ光信号に含まれる各波長（チャネル）の光信号を他の通信ネットワークへ分岐し、または、他の通信ネットワークから送信された光信号をＷＤＭ光信号に挿入する。ノード＃１〜＃４のそれぞれは固定分散補償器を備えたＲＯＡＤＭノードである。【０００８】
経路１４１０は、他の通信ネットワークからノード＃１へ挿入された光信号がノード＃２〜＃４を通過してノード＃１へ戻る経路である。経路１４２０は、他の通信ネットワークからノード＃４へ挿入された光信号がノード＃１〜＃３を通過してノード＃３から他の通信ネットワークへ分岐する経路を示している。【０００９】
図１５は、ＲＯＡＤＭノードの機能的構成を示すブロック図である。ＲＯＡＤＭノード１５００は、図１４に示したノード＃１〜＃４のそれぞれの構成例であり、通信ネットワーク１４００の他のＲＯＡＤＭノードから波長多重されて送信されたＷＤＭ光信号の一部を分岐（Ｄｒｏｐ）し、インターフェース部１５６０を介して他の通信ネットワークへ送信する。【００１０】
また、ＲＯＡＤＭノード１５００は、他の通信ネットワークから送信された光信号をインターフェース部１５６０を介して受信し、ＲＯＡＤＭノード１５００を通過するＷＤＭ光信号に挿入する（Ａｄｄ）する。固定分散補償器１５０１は、通信ネットワーク１４００の他のＲＯＡＤＭノードから送信されたＷＤＭ光信号に対して固定の分散補償量によって分散補償を行う。【００１１】
図１６は、通信ネットワークにおける累積残留分散量の変化を示す図である。図１６において、横軸は、光信号の経路の距離と、光信号が通過するノード＃１〜＃４と、を示している。縦軸は、図１４に示した経路１４１０，１４２０を通過した光信号の累積残留分散量を示している。【００１２】
点線１６１０ａは、経路１４１０のように光信号がノード＃１から挿入された場合の累積分散量の変化を示している。ノード＃１〜＃４のそれぞれには固定分散補償器が設けられており、ノード＃１〜＃４のそれぞれにおいて累積分散量が低下する。この結果、ノード＃１〜＃４における累積分散量の変化は点線１６１０ｂのようになる。【００１３】
点線１６２０ａは、経路１４２０のように光信号がノード＃４から挿入された場合の累積分散量の変化を示している。この結果、ノード＃１〜＃４における累積分散量の変化は点線１６２０ｂのようになる。符号１６３０は、光信号がノード＃１から挿入された場合のノード＃１〜＃４における理想的な残留分散量（以下、「ＲＤｔｇｔ」という）を示している。【００１４】
符号１６４０は、光信号がノード＃１から挿入された場合の通信ネットワーク１４００における分散トレランスを示している。分散トレランスとは、受信側で所定の受信特性を得るために必要な残留分散量の範囲である。符号１６５０は、光信号がノード＃４から挿入された場合の通信ネットワーク１４００におけるＲＤｔｇｔを示している。【００１５】
光ファイバ中で発生する自己位相変調などの非線形光学効果によって、伝送路中でチャープが発生する。このため、符号１６３０、１６４０および１６５０に示すように、通信ネットワークにおけるＲＤｔｇｔおよび分散トレランスは、光信号が通過するノード数およびノード間のスパンに応じて変化する。【００１６】
図１７は、従来のリング型の通信ネットワークの分散補償設計を示す図である。図１７において、横軸は、光信号が通過するノード＃１〜＃４を示している。縦軸は、経路１４１０，１４２０を通過した光信号の残留分散量とＲＤｔｇｔとのずれ量を示している。以下、通信ネットワーク１４００へ挿入される光信号の残留分散はＲＤｔｇｔであるものとして説明する。【００１７】
実線１７１０は、経路１４１０のように、ノード＃１を起点ノードとした分散補償の設計例である。他の通信ネットワークからノード＃１へ残留分散量がＲＤｔｇｔの光信号が挿入された場合を仮定して、ノード＃２，ノード＃３，ノード＃４，ノード＃１の順に固定分散補償器を選択する。【００１８】
実線１７２０は、設計例１７１０のように設計された通信ネットワーク１４００において、経路１４２０のように、他の通信ネットワークからノード＃４へ挿入されてノード＃３から分岐する光信号の残留分散量とＲＤｔｇｔとのずれ量を示している。【００１９】
図１８は、従来のメッシュ型の通信ネットワークの機能的構成を示すブロック図である。図１８に示すように、従来の通信ネットワーク１８００は、リング＃１とリング＃２とが接続されたメッシュ型の通信ネットワークである。リング＃１およびリング＃２のそれぞれは、図１４に示した従来の通信ネットワーク１４００と同様の構成である。【００２０】
リング＃１は、固定分散補償器をそれぞれ備えたノード＃１１〜＃１５によって構成されている。リング＃２は、固定分散補償器をそれぞれ備えたノード＃２１〜＃２５によって構成されている。リング＃１のノード＃１２とリング＃２のノード＃２４とは、互いに接続しており、リング＃１とリング＃２とを接続するハブノードである。【００２１】
経路１８１０は、他の通信ネットワークからリング＃１のノード＃１１へ挿入された光信号がノード＃１２〜＃１５を通過してノード＃１１へ戻る経路である。経路１８２０は、他の通信ネットワークからリング＃２のノード＃２１へ挿入された光信号がノード＃２２〜＃２５を通過してノード＃２１へ戻る経路である。【００２２】
経路１８３０は、他の通信ネットワークからリング＃１のノード＃１５へ挿入された光信号がノード＃１１，ノード＃１２を通過してリング＃２へ分岐され、リング＃２のノード＃２４，ノード＃２５，ノード＃２１を通過してノード＃２１から他の通信ネットワークへ分岐する経路を示している。【００２３】
図１９は、ハブノードの機能的構成を示すブロック図である。図１９において、図１５に示した構成と同様の構成については同一の符号を付して説明を省略する。リング＃１のノード＃１２およびリング＃２のノード＃２４のそれぞれは、図１５に示したＲＯＡＤＭノード１５００と同様の構成であり、固定分散補償器１５０１を備えている。【００２４】
図２０は、従来のメッシュ型の通信ネットワークの分散補償設計を示す図である。図２０において、符号２００１は、リング＃１における光信号の残留分散量とＲＤｔｇｔとのずれ量の特性を示している。符号２００２は、リング＃２における光信号の残留分散量とＲＤｔｇｔとのずれ量の特性を示している。【００２５】
実線２０１０は、経路１８１０のように、ノード＃１１を起点ノードとしたリング＃１の分散補償の設計例を示している。実線２０２０は、経路１８２０のように、ノード＃２１を起点ノードとしたリング＃２の分散補償の設計例を示している。【００２６】
太線２０３０は、経路１８３０のように、リング＃１のノード＃１５から挿入され、ノード＃１１，ノード＃１２を通過してリング＃２へ分岐され（符号２００３）、リング＃２のノード＃２４，ノード＃２５，ノード＃２１を通過してノード＃２１から分岐する光信号の残留分散量とＲＤｔｇｔとのずれ量を示している。【００２７】
【特許文献１】特開２００６−１３５７８８号公報
【特許文献２】国際公開第２００４／０９８１０２号パンフレット
【発明の開示】
【発明が解決しようとする課題】
【００２８】
しかしながら、上述した従来技術では、固定分散補償器の分散補償量のステップ量によっては、残留分散量とＲＤｔｇｔとのずれ量が大きくなるという問題がある。たとえば、図１４に示したリング型の通信ネットワーク１４００において、ノード＃１〜＃４が備える固定分散補償器１５０１の分散補償量のステップ量をΔとする。この場合、図１７に示すように、ノード＃１から挿入された光信号のノード＃１〜＃４における光信号の残留分散量とＲＤｔｇｔとのずれ量は最大で±Δ／２となる。【００２９】
また、ノード＃１を通過した光信号の残留分散量がＲＤｔｇｔであると仮定して分散補償設計を行うため、ノード＃１を通過した光信号の残留分散量がＲＤｔｇｔでない場合、ノード＃１が備える固定分散補償器１５０１の分散補償量のステップ量によっては、残留分散量とＲＤｔｇｔとのずれ量が大きくなるという問題がある。【００３０】
たとえば、図１７の設計例１７１０のように設計された通信ネットワーク１４００において、他の通信ネットワークからノード＃４へ残留分散量がＲＤｔｇｔの光信号が挿入されるとする。この場合、ノード＃１の固定分散補償器１５０１のステップ量Δによっては、ノード＃１を通過した光信号の残留分散量がＲＤｔｇｔとならない。【００３１】
このため、ノード＃１〜＃４における残留分散量は符号１７２０に示したようになり、ノード＃１〜＃４における残留分散量とＲＤｔｇｔとのずれ量は最大で±３Δ／２となる。したがって、固定分散補償器のステップ量Δを大きくすると、分岐される光信号の残留分散量とＲＤｔｇｔとのずれ量が大きくなる。【００３２】
また、図１８に示したメッシュ型の通信ネットワーク１８００において、ハブノードを通過した光信号の残留分散量がＲＤｔｇｔでない場合、残留分散量とＲＤｔｇｔとのずれ量が大きくなるという問題がある。たとえば、図２０の設計例２０１０および設計例２０２０のように設計された通信ネットワーク１８００において、リング＃１とリング＃２とをまたがった経路で光信号が伝送されるとする。【００３３】
この場合、ノード＃１２の固定分散補償器のステップ量Δによっては、ノード＃１２を通過した光信号の残留分散量がＲＤｔｇｔとならない。このため、各ノードにおける残留分散量は太線２０３０に示したようになり、各ノードにおける残留分散量とＲＤｔｇｔとのずれ量は最大で±５Δ／２となる。したがって、固定分散補償器のステップ量Δを大きくすると、分岐される光信号の残留分散量とＲＤｔｇｔとのずれ量が大きくなる。【００３４】
このため、波長分散による光信号の劣化が大きくなり、通信特性が劣化するという問題がある。また、分岐される光信号の残留分散量とＲＤｔｇｔとのずれ量を小さくするために固定分散補償器のステップ量Δを小さくすると、必要な固定分散補償器の数と種類が多くなり、通信ネットワークの設計および維持のコストが増加するという問題がある。【００３５】
また、分岐される光信号の残留分散量とＲＤｔｇｔとのずれ量を小さくするために可変分散補償器を使用することが考えられるが、可変分散補償器は一般に高価であるため、可変分散補償器をすべてのノードに適用すると通信ネットワークのコストが増加するという問題がある。また、可変分散補償器を用いる場合、その通過帯域特性により、多数の分散補償器を通過した光信号はアイ開口が劣化するため、通信特性が劣化するという問題がある。【００３６】
この発明は、上述した問題点を解消するものであり、波長分散による光信号の劣化を抑えて通信特性を向上させることができる通信ネットワークおよび設計方法を提供することを目的とする。
【課題を解決するための手段】
【００３７】
この発明にかかる通信ネットワークは、起点ノードと、前記起点ノードを起点として分散補償設計を行う複数のノードと、を含む通信ネットワークであって、通過させる光信号の残留分散量が所定の基準残留分散量となるように可変の分散補償量によって分散補償を行う可変分散補償器を有する起点ノードと、前記基準残留分散量を基準として選択される固定分散補償器を有する複数のノードと、を備えることを特徴とする。基準残留分散量は、伝送路の長さや特性を基に、良好な伝送特性が得られるように算出され、与えられる量である。【００３８】
上記構成によれば、通信ネットワークの分散補償設計の起点ノードが可変分散補償器を備えることで、通信ネットワークのすべてのノード間の伝送において、残留分散量の理想的な残留分散量とのずれ量を抑えることができる。
【発明の効果】
【００３９】
この発明によれば、波長分散による光信号の劣化を抑えて通信特性を向上させることができるという効果を奏する。
【図面の簡単な説明】
【００４０】
【図１】図１は、実施の形態１にかかる通信ネットワークの機能的構成を示すブロック図である。
【図２】図２は、ＲＯＡＤＭノードの機能的構成を示すブロック図である。
【図３】図３は、実施の形態１にかかる通信ネットワークの分散補償設計の手順を示すフローチャートである。
【図４】図４は、実施の形態１にかかる通信ネットワークの分散補償設計（ノード数ｋ）を示す図である。
【図５】図５は、実施の形態１にかかる通信ネットワークの分散補償設計（ノード数４）を示す図である。
【図６】図６は、実施の形態１の実施例にかかる通信ネットワークの機能的構成を示すブロック図である。
【図７】図７は、図６に示した通信ネットワークの具体的な設計値を示す図である。
【図８】図８は、実施の形態２にかかる通信ネットワークの機能的構成を示すブロック図である。
【図９】図９は、ハブノードの機能的構成を示すブロック図である。
【図１０】図１０は、実施の形態２にかかる通信ネットワークの分散補償設計を示す図である。
【図１１】図１１は、実施の形態２の実施例にかかる通信ネットワークの機能的構成を示すブロック図である。
【図１２】図１２は、図１１に示したリング＃１の具体的な設計値を示す図である。
【図１３】図１３は、図１１に示したリング＃２の具体的な設計値を示す図である。
【図１４】図１４は、従来のリング型の通信ネットワークの機能的構成を示すブロック図である。
【図１５】図１５は、ＲＯＡＤＭノードの機能的構成を示すブロック図である。
【図１６】図１６は、通信ネットワークにおける累積残留分散量の変化を示す図である。
【図１７】図１７は、従来のリング型の通信ネットワークの分散補償設計を示す図である。
【図１８】図１８は、従来のメッシュ型の通信ネットワークの機能的構成を示すブロック図である。
【図１９】図１９は、ハブノードの機能的構成を示すブロック図である。
【図２０】図２０は、従来のメッシュ型の通信ネットワークの分散補償設計を示す図である。
【符号の説明】
【００４１】
１００，８００  通信ネットワーク
１１０，１２０，８１０，８２０，８３０  経路
２１２  増幅器
２２０  分波器
２３０  分岐挿入部
２４０  合波器
２５０  ポストアンプ部
【発明を実施するための最良の形態】
【００４２】
以下に添付図面を参照して、この発明にかかる通信ネットワークおよび設計方法の好適な実施の形態を詳細に説明する。【００４３】
（実施の形態１）
（通信ネットワークの構成）
図１は、実施の形態１にかかる通信ネットワークの機能的構成を示すブロック図である。図１に示すように、実施の形態１にかかる通信ネットワーク１００は、リング状に接続されたｋ個のノード＃１〜＃ｋによって構成されたＲＯＡＤＭである。通信ネットワーク１００は、ノード＃１を起点ノードとして分散補償設計を行う通信ネットワークである。【００４４】
通信ネットワーク１００は、光信号を波長多重したＷＤＭ光信号を伝送し、ＷＤＭ光信号の波長（チャネル）ごとに他の通信ネットワークへ分岐し、または他の通信ネットワークから送信された光信号を挿入する。ノード＃１は、可変分散補償器を備えたＲＯＡＤＭノードである。ノード＃２〜＃ｋのそれぞれは、固定分散補償器を備えたＲＯＡＤＭノード（図１５参照）である。【００４５】
経路１１０は、他の通信ネットワークからノード＃１へ挿入された光信号がノード＃２，ノード＃３，ノード＃４，…，ノード＃ｋを通過してノード＃１へ戻る経路である。経路１２０は、他の通信ネットワークからノード＃４へ挿入された光信号がノード＃ｋ，ノード＃１，ノード＃２，ノード＃３を通過してノード＃３から他の通信ネットワークへ分岐する経路を示している。【００４６】
図２は、ＲＯＡＤＭノードの機能的構成を示すブロック図である。ＲＯＡＤＭノード２００は、図１に示したノード＃１の構成例であり、プリアンプ部２１０と、分波器２２０と、分岐挿入部２３０（Ａｄｄ／Ｄｒｏｐ）と、合波器２４０と、ポストアンプ部２５０と、を備えている。また、分岐挿入部２３０は、他の通信ネットワークとの伝送を行うインターフェース部２６０と接続している。【００４７】
ＲＯＡＤＭノード２００は、通信ネットワーク１００の他のＲＯＡＤＭノード（ノード＃ｋ）から波長多重されて送信されたＷＤＭ光信号の一部を分岐（Ｄｒｏｐ）し、インターフェース部２６０を介して他の通信ネットワークへ送信する。また、ＲＯＡＤＭノード２００は、他の通信ネットワークから送信された光信号をインターフェース部２６０を介して受信し、ＲＯＡＤＭノード２００を通過するＷＤＭ光信号に挿入（Ａｄｄ）する。【００４８】
プリアンプ部２１０は、可変分散補償器２１１および増幅器２１２を備えている。可変分散補償器２１１は、通信ネットワーク１００の他のノードから送信されたＷＤＭ光信号に対して可変の分散補償量によって分散補償を行う。可変分散補償器２１１は、たとえばＦＢＧ（Ｆｉｂｅｒ  Ｂｒａｇｇ  Ｇｒａｔｉｎｇ）、ＶＩＰＡ（Ｖｉｒｔｕａｌｌｙ  Ｉｍａｇｅｄ  Ｐｈａｓｅｄ  Ａｒｒａｙ）板またはリング共振器である。【００４９】
可変分散補償器２１１は、分散補償を行った光信号を増幅器２１２へ出力する。増幅器２１２は、可変分散補償器２１１から出力された光信号を増幅して分波器２２０へ出力する。分波器２２０は、プリアンプ部２１０から出力された光信号を多重分離する。分波器２２０は、多重分離したそれぞれの光信号を分岐挿入部２３０へ出力する。【００５０】
分岐挿入部２３０は、図示しないスイッチの切替などにより、分波器２２０から出力されたそれぞれの光信号を個別に合波器２４０またはインターフェース部２６０へ出力する。また、分岐挿入部２３０は、インターフェース部２６０から出力された光信号を合波器２４０へ出力する。【００５１】
合波器２４０は、分岐挿入部２３０から出力されたそれぞれの光信号を波長多重する。合波器２４０は、波長多重したＷＤＭ光信号をポストアンプ部２５０へ出力する。ポストアンプ部２５０は、合波器２４０から出力されたＷＤＭ光信号を増幅して、通信ネットワーク１００の他のノード（ノード＃２）へ送信する。【００５２】
インターフェース部２６０は、複数のトランスポンダから構成されている。インターフェース部２６０は、分岐挿入部２３０から出力された光信号をトランスポンダを介して他の通信ネットワークへ送信する。また、インターフェース部２６０は、他の通信ネットワークからトランスポンダを介して受信した光信号を分岐挿入部２３０へ出力する。【００５３】
（通信ネットワークの分散補償設計）
つぎに、通信ネットワーク１００の分散補償設計について説明する。以下、通信ネットワーク１００へ挿入される光信号の残留分散はＲＤｔｇｔ（基準残留分散量）であるものとして説明する。通信ネットワーク１００の分散補償設計では、各ノード＃１〜＃ｋから分岐される光信号の残留分散量がＲＤｔｇｔに近づくように各ノード＃１〜＃ｋにおける分散補償量を設計する。【００５４】
まず、可変分散補償器２１１を備えるノード＃１を、分散補償量を設計するための起点ノードに決定する。そして、ノード＃１へ挿入された光信号がノード＃２〜＃ｋのうちのいずれから分岐しても、分岐した光信号の残留分散量とＲＤｔｇｔとのずれ量が最小となるようにノード＃２〜＃ｋの固定分散補償器を選択する。これにより、分岐した光信号の残留分散量が分散トレランス（所定の範囲）に含まれるようにする。【００５５】
ノード＃１から挿入されてノード＃ｎから分岐される光信号の残留分散量をＲＤ（ｎ）とする。また、ノード＃ｎから分岐される光信号の最適な残留分散量をＲＤｔｇｔ（ｎ）とする。ノード＃１から挿入されてノード＃ｎから分岐される光信号の残留分散量とＲＤｔｇｔとのずれ量ｄ（１，ｎ）は下記（１）式で示すことができる。【００５６】
ｄ（１，ｎ）＝ＲＤ（ｎ）−ＲＤｔｇｔ（ｎ）  …（１）【００５７】
また、通信ネットワーク１００を構成するノード数をｋとすると、ノード＃ｉから挿入されてノード＃ｊから分岐される光信号の残留分散量とＲＤｔｇｔとのずれ量ｄ（ｉ，ｊ）は下記（２）式で示すことができる。【００５８】
ｄ（ｉ，ｊ）＝−ｄ（１，ｉ）＋ｄ（１，ｊ）＋ｄ（１，ｋ＋１）  …（２）
ただし、ｉ，ｊ＝１，２，…，ｋ【００５９】
上記（２）式右辺の第１項は、ノード＃１から挿入されてノード＃ｉから分岐される光信号の残留分散量とＲＤｔｇｔとのずれ量を示している。第２項は、ノード＃１から挿入されてノード＃ｊから分岐される光信号の残留分散量とＲＤｔｇｔとのずれ量を示している。【００６０】
第３項は、ノード＃１から挿入されてノード＃１から分岐される光信号の残留分散量とＲＤｔｇｔとのずれ量を示している。第３項のずれ量は、たとえば、ノード＃１へ挿入された光信号が、ノード＃２，…，ノード＃ｋ，ノード＃１を通過してノード＃１から分岐される場合の残留分散量とＲＤｔｇｔとのずれ量である。【００６１】
図３は、実施の形態１にかかる通信ネットワークの分散補償設計の手順を示すフローチャートである。図３に示すように、まず、分散補償設計の起点となる起点ノードをノード＃１に決定する（ステップＳ３０１）。つぎに、各ノード＃１〜＃ｋにおけるＲＤｔｇｔ（図１６参照）を算出する（ステップＳ３０２）。各ノード＃１〜＃ｋにおけるＲＤｔｇｔ（所定の基準残留分散量）は、あらかじめ、伝送路の情報に基づいて算出され、または、データベースから取得される。【００６２】
つぎに、分散補償設計を行うノード＃ｎをノード＃２に変更する（ｎ＝２）（ステップＳ３０３）。つぎに、ノード＃ｎ−１とノード＃ｎ間の伝送路で発生する波長分散量の情報を取得する（ステップＳ３０４）。ノード＃ｎ−１とノード＃ｎ間の伝送路で発生する波長分散量の情報は、ノード＃ｎ−１とノード＃ｎ間の伝送路のスパンや特性の情報に基づいて算出される。【００６３】
つぎに、ノード＃ｎの理想的な分散補償量を算出する（ステップＳ３０５）。ノード＃ｎの理想的な分散補償量とは、ノード＃１から挿入されてノード＃ｎから分岐される光信号の残留分散量とＲＤｔｇｔとのずれ量ｄ（１，ｎ）が０となる分散補償量である。ノード＃ｎの理想的な分散補償量は、ノード＃ｎ−１から分岐される光信号の残留分散量と、ステップＳ３０４によって算出した波長分散量の情報と、に基づいて算出される。【００６４】
つぎに、分散補償設計を行っているノード＃ｎがノード＃１（ｎ＝ｋ＋１）であるか否かを判断する（ステップＳ３０６）。ノード＃ｎがノード＃１でない場合（ステップＳ３０６：Ｎｏ）、ｄ（１，ｎ）が最小となるようにノード＃ｎの固定分散補償器を選択する（ステップＳ３０７）。つぎに、分散補償設計を行うノード＃ｎをノード＃ｎ＋１に変更し（ｎ＝ｎ＋１）（ステップＳ３０８）、ステップＳ３０４に戻って処理を続行する。【００６５】
ステップＳ３０６においてノード＃ｎがノード＃１である場合（ステップＳ３０６：Ｙｅｓ）、ノード＃１から挿入され、ノード＃２〜＃ｋを通過してノード＃１から分岐される光信号の残留分散量とＲＤｔｇｔとのずれ量ｄ（１，ｋ＋１）が０となるようにノード＃１の可変分散補償器２１１の分散補償量を設定し（ステップＳ３０９）、通信ネットワーク１００の分散補償設計を終了する。【００６６】
図４は、実施の形態１にかかる通信ネットワークの分散補償設計（ノード数ｋ）を示す図である。図４は、通信ネットワーク１００のノード数をｋとした場合（図１参照）の分散補償設計を示している。図４において、横軸は、光信号が通過するノード＃１〜＃ｋを示している。縦軸は、光信号の残留分散量とＲＤｔｇｔとのずれ量を示している。【００６７】
実線４１０は、ノード＃１を起点ノードとした分散補償設計を示している。ノード＃１へ残留分散量がＲＤｔｇｔの光信号が挿入された場合を仮定して、各ノードから分岐される光信号の残留分散量とＲＤｔｇｔとのずれ量ｄ（１，２）〜ｄ（１，ｋ）が最小となるようにノード＃２，ノード＃３，…，ノード＃ｋの順に固定分散補償器を選択する。【００６８】
ステップ量がΔの固定分散補償器を用いた場合、上記（１）式右辺のＲＤ（ｎ）をΔ単位で調節できるため、最適な固定分散補償器を選択することによって（１）式左辺のｄ（１，ｎ）の最大値を±Δ／２に抑えることができる。このため、ノード＃１から挿入されてノード＃２〜＃ｋのいずれかから分岐された光信号の残留分散量とＲＤｔｇｔとのずれ量ｄ（１，ｎ）の最大値を±Δ／２に抑えることができる。【００６９】
上記（２）式右辺の第１項，第２項，第３項のそれぞれは最大で±Δ／２となる。符号４１１に示すように、ｄ（１，ｋ＋１）が０となるようにノード＃１の可変分散補償器２１１の分散補償量を設定することで、（２）式右辺の第３項を０とすることができる。このため、ノード＃ｉから挿入されてノード＃ｊのいずれかから分岐された光信号の残留分散量とＲＤｔｇｔとのずれ量ｄ（ｉ，ｊ）の最大値を±Δに抑えることができる。【００７０】
たとえば、太線４２０は、図１の経路１２０のように、ノード＃４から挿入され、ノード＃ｋ，ノード＃１〜＃３を通過してノード＃３から分岐される光信号の残留分散量とＲＤｔｇｔとのずれ量を示している。太線４２０に示すように、光信号がノード＃４から挿入された場合、ノード＃１を通過した光信号の残留分散量がＲＤｔｇｔとならないが、ｄ（ｉ，ｊ）が最大となるｄ（４，３）を−Δに抑えることができる。【００７１】
図５は、実施の形態１にかかる通信ネットワークの分散補償設計（ノード数４）を示す図である。図５は、通信ネットワーク１００のノード数を４とした場合（図１４参照）の分散補償設計を示している。図５において、図４に示した部分と同様の部分については同一の符号を付して説明を省略する。点線５１０は、ノード＃１が備える分散補償器が固定分散補償器であると仮定した場合のノード＃１を起点ノードとした分散補償設計（図１７参照）を示している。【００７２】
太点線５２０は、ノード＃１が備える分散補償器が固定分散補償器であると仮定した場合に、ノード＃４から挿入され、ノード＃１〜＃３を通過してノード＃３から分岐される光信号の残留分散量とＲＤｔｇｔとのずれ量を示している。太点線５２０に示すように、ノード＃１が備える分散補償器が固定分散補償器であると仮定した場合、ノード＃４から挿入され、ノード＃１〜＃３を通過してノード＃３から分岐される光信号の残留分散量とＲＤｔｇｔとのずれ量は−３Δ／２である。【００７３】
これに対して、太線４２０に示すように、ノード＃１が備える分散補償器が可変分散補償器２１１である場合、ノード＃４から挿入され、ノード＃１〜＃３を通過してノード＃３から分岐される光信号の残留分散量とＲＤｔｇｔとのずれ量は−Δとなる。したがって、ノード＃１が可変分散補償器２１１を備えることによって、符号５２１に示すように、残留分散量とＲＤｔｇｔとのずれ量が３３％改善される。【００７４】
（実施例）
図６は、実施の形態１の実施例にかかる通信ネットワークの機能的構成を示すブロック図である。図６に示すように、実施の形態１の実施例にかかる通信ネットワーク１００のノード数を４とし、各ノードをノードＮ１１〜Ｎ１４とする。また、ノードＮ１１およびノードＮ１２間の伝送路を伝送路Ｓ１１、ノードＮ１２およびノードＮ１３間の伝送路を伝送路Ｓ１２、ノードＮ１３およびノードＮ１４間の伝送路を伝送路Ｓ１３、ノードＮ１４およびノードＮ１１間の伝送路を伝送路Ｓ１４とする。【００７５】
ノードＮ１１は、通信ネットワーク１００の分散補償設計の起点ノードであり可変分散補償器２１１を備えている。ノードＮ１２〜Ｎ１４は、ノードＮ１１を起点として分散補償設計されるノードであり、固定分散補償器を備えている。伝送路Ｓ１１〜Ｓ１４は、波長分散係数が１７ｐｓ／ｎｍ／ｋｍのＳＭＦ（Ｓｉｎｇｌｅ  Ｍｏｄｅ  Ｆｉｂｅｒ）であるとする。また、ノード１２〜Ｎ１４が備えている固定分散補償器のステップ数は２００ｐｓ／ｎｍであるとする。【００７６】
図７は、図６に示した通信ネットワークの具体的な設計値を示す図である。図７において、項目７１０は、伝送路Ｓ１１〜Ｓ１４のスパンを示している。項目７２０は、伝送路Ｓ１１〜Ｓ１４で発生する波長分散量を示している。項目７３０は、ノードＮ１１〜Ｎ１４の理想的な分散補償量を示している。項目７４０は、ノードＮ１１〜Ｎ１４の分散補償器の分散補償量を示している。項目７５０は、ノードＮ１１〜Ｎ１４から分岐される光信号の残留分散量とＲＤｔｇｔとのずれ量ｄ（ｉ，ｊ）を示している。【００７７】
まず、伝送路Ｓ１１〜Ｓ１４で発生する波長分散量７２０を算出する。伝送路Ｓ１１〜Ｓ１４のスパン７１０と波長分散係数１７ｐｓ／ｎｍ／ｋｍとの乗算により、伝送路Ｓ１１〜Ｓ１４で発生する波長分散量７２０は以下のように算出できる。【００７８】
Ｓ１１：５６１ｐｓ／ｎｍ
Ｓ１２：９３５ｐｓ／ｎｍ
Ｓ１３：１１２２ｐｓ／ｎｍ
Ｓ１４：１４９６ｐｓ／ｎｍ【００７９】
つぎに、ノードＮ１２〜Ｎ１４の固定分散補償器の選択を行う。ノードＮ１２〜Ｎ１４の理想的な分散補償量７３０，実際の分散補償量７４０およびＲＤｔｇｔからのずれ量７５０は以下のように算出できる。【００８０】
Ｎ１２：理想分散補償量５６１ｐｓ／ｎｍ，実際の補償量６００ｐｓ／ｎｍ，ＲＤｔｇｔからのずれ量ｄ（Ｎ１１，Ｎ１２）−３９ｐｓ／ｎｍ
Ｎ１３：理想分散補償量８９６ｐｓ／ｎｍ，実際の補償量８００ｐｓ／ｎｍ，ＲＤｔｇｔからのずれ量ｄ（Ｎ１１，Ｎ１３）９６ｐｓ／ｎｍ
Ｎ１４：理想分散補償量１２１８ｐｓ／ｎｍ，実際の補償量１２００ｐｓ／ｎｍ，ＲＤｔｇｔからのずれ量ｄ（Ｎ１１，Ｎ１４）１８ｐｓ／ｎｍ【００８１】
つぎに、起点ノードであるノードＮ１１の可変分散補償器２１１の分散補償量の設定を行う。ノードＮ１１の理想的な分散補償量７３０，実際の分散補償量７４０およびＲＤｔｇｔからのずれ量７５０は以下のように算出できる。【００８２】
Ｎ１１：理想分散補償量１５１４ｐｓ／ｎｍ，実際の補償量１５１４ｐｓ／ｎｍ，ＲＤｔｇｔからのずれ量０ｐｓ／ｎｍ【００８３】
上記設計により、ノードＮｉから挿入されてノードＮｊから分岐される光信号の残留分散量とＲＤｔｇｔとのずれ量ｄ（Ｎｉ，Ｎｊ）は以下のように算出でき、ｄ（Ｎｉ，Ｎｊ）は常に±２００ｐｓ／ｎｍ以内になる。【００８４】
Ｎ１２→Ｎ１３の経路でのずれ量ｄ（Ｎ１２，Ｎ１３）＝−ｄ（Ｎ１１，Ｎ１２）＋ｄ（Ｎ１１，Ｎ１３）＝３９＋９６＝１３５ｐｓ／ｎｍ
Ｎ１２→Ｎ１４の経路でのずれ量ｄ（Ｎ１２，Ｎ１４）＝−ｄ（Ｎ１１，Ｎ１２）＋ｄ（Ｎ１１，Ｎ１４）＝３９＋１８＝５７ｐｓ／ｎｍ
Ｎ１２→Ｎ１１の経路でのずれ量ｄ（Ｎ１２，Ｎ１１）＝−ｄ（Ｎ１１，Ｎ１２）＋ｄ（Ｎ１１，Ｎ１１）＝３９＋０＝３９ｐｓ／ｎｍ
Ｎ１３→Ｎ１４の経路でのずれ量ｄ（Ｎ１３，Ｎ１４）＝−ｄ（Ｎ１１，Ｎ１３）＋ｄ（Ｎ１１，Ｎ１４）＝−９６＋１８＝−７８ｐｓ／ｎｍ
Ｎ１３→Ｎ１１の経路でのずれ量ｄ（Ｎ１３，Ｎ１１）＝−ｄ（Ｎ１１，Ｎ１３）＋ｄ（Ｎ１１，Ｎ１１）＝−９６＋０＝−９６ｐｓ／ｎｍ
Ｎ１３→Ｎ１２の経路でのずれ量ｄ（Ｎ１３，Ｎ１２）＝−ｄ（Ｎ１１，Ｎ１３）＋ｄ（Ｎ１１，Ｎ１２）＝−９６−３６＝−１３５ｐｓ／ｎｍ
Ｎ１４→Ｎ１１の経路でのずれ量ｄ（Ｎ１４，Ｎ１１）＝−ｄ（Ｎ１１，Ｎ１４）＋ｄ（Ｎ１１，Ｎ１１）＝−１８＋０＝−１８ｐｓ／ｎｍ
Ｎ１４→Ｎ１２の経路でのずれ量ｄ（Ｎ１４，Ｎ１２）＝−ｄ（Ｎ１１，Ｎ１４）＋ｄ（Ｎ１１，Ｎ１２）＝−１８−３９＝−５７ｐｓ／ｎｍ
Ｎ１４→Ｎ１３の経路でのずれ量ｄ（Ｎ１４，Ｎ１３）＝−ｄ（Ｎ１１，Ｎ１４）＋ｄ（Ｎ１１，Ｎ１３）＝−１８＋９６＝７８ｐｓ／ｎｍ【００８５】
このように、実施の形態１にかかる通信ネットワークによれば、通信ネットワークの分散補償設計の起点ノードが可変分散補償器を備えることで、通信ネットワークのすべてのノード間の伝送において、残留分散量とＲＤｔｇｔとの最大ずれ量を固定分散補償器のステップ量Δに抑えることができる。このため、波長分散による光信号の劣化を抑えて通信特性を向上させることができる。【００８６】
また、通信ネットワークにおけるノードのうち起点ノードのみに可変分散補償器を適用すればよいため、通信ネットワークのコストを低減することができる。また、たとえば可変分散補償器としてＶＩＰＡを用いる場合、通信ネットワークにおけるノードのうち起点ノードのみにＶＩＰＡを適用すればよいため光信号のアイ開口が劣化せず、通信特性を向上させることができる。【００８７】
（実施の形態２）
（通信ネットワークの構成）
図８は、実施の形態２にかかる通信ネットワークの機能的構成を示すブロック図である。図８に示すように、実施の形態２にかかる通信ネットワーク８００は、リング＃１とリング＃２とが接続されたメッシュ型の通信ネットワークである。リング＃１およびリング＃２のそれぞれは、実施の形態１にかかる通信ネットワーク１００と同様の構成である。【００８８】
リング＃１およびリング＃２のそれぞれはノード＃１〜＃ｋによって構成されている。リング＃１およびリング＃２のそれぞれが備えるノード＃Ｈは、互いに接続しており、リング＃１とリング＃２とを接続するハブノードである。ノード＃Ｈは、可変分散補償器を備えたＲＯＡＤＭノードである。【００８９】
また、リング＃１およびリング＃２のそれぞれのノード＃１は、リング＃１とリング＃２の分散補償設計の起点ノードであり、可変分散補償器を備えたＲＯＡＤＭノードである。リング＃１およびリング＃２のそれぞれのノード＃２，＃ｋ−１，＃ｋは、固定分散補償器を備えたＲＯＡＤＭノード（図１５参照）である。【００９０】
経路８１０は、他の通信ネットワークからリング＃１のノード＃１へ挿入された光信号がノード＃２，…，ノード＃Ｈ，ノード＃ｋを通過してノード＃１へ戻る経路である。経路８２０は、他の通信ネットワークからリング＃２のノード＃１へ挿入された光信号がノード＃２，ノード＃３，ノード＃Ｈ，…，ノード＃ｋを通過してノード＃１へ戻る経路である。【００９１】
経路８３０は、他の通信ネットワークからリング＃１のノード＃１へ挿入された光信号がノード＃２，ノード＃Ｈを通過してリング＃２へ分岐され、リング＃２のノード＃Ｈ，ノード＃ｋ，ノード＃１を通過してノード＃１から他の通信ネットワークへ分岐する経路を示している。【００９２】
図９は、ハブノードの機能的構成を示すブロック図である。図８において、図２に示した構成と同様の構成については同一の符号を付して説明を省略する。リング＃１およびリング＃２のそれぞれのノード＃Ｈは、図２に示したＲＯＡＤＭノード２００と同様の構成であり、可変分散補償器２１１を備えている。【００９３】
リング＃１のノード＃Ｈの分岐挿入部２３０は、分波器２２０から出力されたそれぞれの光信号を合波器２４０またはリング＃２へ出力する。また、リング＃１のノード＃Ｈの分岐挿入部２３０は、リング＃２から出力された光信号をリング＃１のノード＃Ｈの合波器２４０へ出力する。【００９４】
リング＃２のノード＃Ｈの分岐挿入部２３０は、分波器２２０から出力されたそれぞれの光信号を合波器２４０またはリング＃１へ出力する。また、リング＃２のノード＃Ｈの分岐挿入部２３０は、リング＃１から出力された光信号をリング＃２のノード＃Ｈの合波器２４０へ出力する。【００９５】
（通信ネットワークの分散補償設計）
つぎに、実施の形態２にかかる通信ネットワーク８００の分散補償設計について説明する。通信ネットワーク８００においては、リング＃１とリング＃２とについて分散補償設計を個別に行う。リング＃１およびリング＃２のそれぞれの分散補償設計の手順は図３に示した手順と同様であるため説明を省略する。【００９６】
リング＃１のノード＃ｉから挿入されてリング＃２のノード＃ｊから分岐される光信号の残留分散量とＲＤｔｇｔとのずれ量ｄ（ｉ，ｊ）は下記（３）式で示すことができる。【００９７】
ｄ（ｉ，ｊ）＝ｄ１（ｉ，Ｈ）＋ｄ２（Ｈ，ｊ）  …（３）【００９８】
上記（３）式右辺の第１項は、リング＃１のノード＃ｉから挿入されてノード＃Ｈからリング＃２へ分岐される光信号の残留分散量とＲＤｔｇｔとのずれ量を示している。第２項は、リング＃２のノード＃Ｈから挿入されてリング＃２のノード＃ｊから分岐される光信号の残留分散量とＲＤｔｇｔとのずれ量を示している。（３）式右辺のｄ１（ｉ，Ｈ）およびｄ２（Ｈ，ｊ）は下記（４）式および（５）式でそれぞれ示すことができる。【００９９】
ｄ１（ｉ，Ｈ）＝−ｄ１（１，ｉ）＋ｄ１（１，Ｈ）＋ｄ１（１，ｋ＋１）…（４）
ただし、ｉ＝１，２，…，Ｈ，…，ｋ【０１００】
ｄ２（Ｈ，ｊ）＝−ｄ２（１，Ｈ）＋ｄ２（１，ｊ）＋ｄ２（１，ｋ＋１）…（５）
ただし、ｉ＝１，２，…，Ｈ，…，ｋ【０１０１】
上記（４）式右辺の第１項は、リング＃１のノード＃１から挿入されてリング＃１のノード＃ｉから分岐される光信号の残留分散量とＲＤｔｇｔとのずれ量を示している。第２項は、リング＃１のノード＃１から挿入されてリング＃１のノード＃Ｈから分岐される光信号の残留分散量とＲＤｔｇｔとのずれ量を示している。第３項は、リング＃１のノード＃１から挿入され、リング＃１のノード＃２〜＃ｋを通過してリング＃１のノード＃１から分岐される光信号の残留分散量とＲＤｔｇｔとのずれ量を示している。【０１０２】
上記（５）式右辺の第１項は、リング＃２のノード＃１から挿入されてリング＃２のノード＃ｉから分岐される光信号の残留分散量とＲＤｔｇｔとのずれ量を示している。第２項は、リング＃２のノード＃１から挿入されてリング＃２のノード＃Ｈから分岐される光信号の残留分散量とＲＤｔｇｔとのずれ量を示している。第３項は、リング＃２のノード＃１から挿入され、リング＃２のノード＃２〜＃ｋを通過してリング＃２のノード＃１から分岐される光信号の残留分散量とＲＤｔｇｔとのずれ量を示している。【０１０３】
図１０は、実施の形態２にかかる通信ネットワークの分散補償設計を示す図である。図１０において、符号１００１は、リング＃１における光信号の残留分散量とＲＤｔｇｔとのずれ量の特性を示している。符号１００２は、リング＃２における光信号の残留分散量とＲＤｔｇｔとのずれ量の特性を示している。【０１０４】
実線１０１０は、ノード＃１１を起点ノードとしたリング＃１の分散補償の設計例を示している。点線１０１１は、ノード＃１１が備える分散補償器が固定分散補償器であると仮定した場合のノード＃１１を起点ノードとしたリング＃１の分散補償の設計例を示している。【０１０５】
実線１０２０は、ノード＃２１を起点ノードとしたリング＃２の分散補償の設計例を示している。点線１０２１は、ノード＃２１が備える分散補償器が固定分散補償器であると仮定した場合のノード＃２１を起点ノードとしたリング＃２の分散補償の設計例を示している。【０１０６】
太線１０３０は、経路８３０を通過する光信号の残留分散量とＲＤｔｇｔとのずれ量を示している。太点線１０３１は、ノード＃１２およびノード＃２４が備える分散補償器が固定分散補償器であると仮定した場合の、経路８３０を通過する光信号の残留分散量とＲＤｔｇｔとのずれ量を示している。【０１０７】
ステップ量がΔの固定分散補償器を用いた場合、上記（４）式右辺の第１項〜第３項，（５）式右辺の第１項〜第３項のそれぞれは最大で±Δ／２となる。また、ノード＃１１およびノード＃２１が備える可変分散補償器２１１の分散補償量の設定により、上記（４）式および（５）式の第３項を０とすることができる。このため、上記（４）式および（５）式で示したｄ１（ｉ，Ｈ）およびｄ２（Ｈ，ｊ）はそれぞれ下記（６）式および（７）式で示すことができる。【０１０８】
ｄ１（ｉ，Ｈ）＝−ｄ１（１，ｉ）＋ｄ１（１，Ｈ）  …（６）
ただし、ｉ＝１，２，…，Ｈ，…，ｋ【０１０９】
ｄ２（Ｈ，ｊ）＝−ｄ２（１，Ｈ）＋ｄ２（１，ｊ）  …（７）
ただし、ｉ＝１，２，…，Ｈ，…，ｋ【０１１０】
これにより、リング＃１のノード＃ｉから挿入されてリング＃２のノード＃ｊから分岐される光信号の残留分散量とＲＤｔｇｔとのずれ量ｄ（ｉ，ｊ）の最大値を±２Δに抑えることができる。なお、ここでは通信ネットワーク８００を構成するリング数が２つなのでｄ（ｉ，ｊ）の最大値が±２Δとなるが、通信ネットワーク８００を構成するリング数が３，４，…の場合、ｄ（ｉ，ｊ）の最大値は±３Δ，±４Δ，…となる。【０１１１】
また、ノード＃Ｈが備える可変分散補償器２１１の分散補償量の設定により、上記（６）式の第２項および（７）式の第２項を０とすることができる。このため、上記（３）式で示したリング＃１のノード＃ｉから挿入されてリング＃２のノード＃ｊから分岐される光信号の残留分散量とＲＤｔｇｔとのずれ量ｄ（ｉ，ｊ）は下記（８）式で示すことができる。【０１１２】
ｄ（ｉ，ｊ）＝ｄ１（ｉ，Ｈ）＋ｄ２（Ｈ，ｊ）
＝−ｄ１（１，ｉ）＋ｄ２（１，ｊ）  …（８）【０１１３】
これにより、リング＃１のノード＃ｉから挿入されてリング＃２のノード＃ｊから分岐される光信号の残留分散量とＲＤｔｇｔとのずれ量ｄ（ｉ，ｊ）の最大値を±Δに抑えることができる。なお、この場合のｄ（ｉ，ｊ）の最大値は、通信ネットワーク８００を構成するリングの数に依らずに±Δとなる。【０１１４】
たとえば、太点線１０３１に示すように、ノード＃１２およびノード＃２４が備える分散補償器が固定分散補償器である場合、経路８３０を通過する光信号のノード＃２１における残留分散量とＲＤｔｇｔとのずれ量は−４Δ／２である。【０１１５】
これに対して、太線１０３０に示すように、ノード＃１２およびノード＃２４が備える分散補償器が可変分散補償器２１１である場合、経路８３０のノード＃２１の残留分散量とＲＤｔｇｔとのずれ量は−Δ／２となる。したがって、ノード＃１が可変分散補償器２１１を備えることによって、符号１０３２に示すように、残留分散量とＲＤｔｇｔとのずれ量が６６％改善される。【０１１６】
（実施例）
図１１は、実施の形態２の実施例にかかる通信ネットワークの機能的構成を示すブロック図である。図１１に示すように、通信ネットワーク８００のリング＃１およびリング＃２のノード数をそれぞれ４とし、リング＃１の各ノードをノードＮ２１〜Ｎ２４，リング＃２のノードをノードＮ２３，Ｎ２５〜Ｎ２７とする。ノードＮ２３はリング＃１およびリング＃２の共通のノードであり、リング＃１とリング＃２とを接続するハブノード（ＨＵＢ）である。【０１１７】
また、ノードＮ２１およびノードＮ２２間の伝送路を伝送路Ｓ２１、ノードＮ２２およびノードＮ２３間の伝送路を伝送路Ｓ２２、ノードＮ２３およびノードＮ２４間の伝送路を伝送路Ｓ２３、ノードＮ２４およびノードＮ２１間の伝送路を伝送路Ｓ２４とする。また、ノードＮ２３およびノードＮ２５間の伝送路を伝送路Ｓ２５、ノードＮ２５およびノードＮ２６間の伝送路を伝送路Ｓ２６、ノードＮ２６およびノードＮ２７間の伝送路を伝送路Ｓ２７、ノードＮ２７およびノードＮ２３間の伝送路を伝送路Ｓ２８とする。【０１１８】
実施の形態２の実施例にかかる通信ネットワーク８００では、ハブノードであるノードＮ２３をリング＃１およびリング＃２のそれぞれの起点ノードとする。ノードＮ２３は可変分散補償器２１１を備えている。ノードＮ２１，Ｎ２２，Ｎ２４〜Ｎ２７は、ノードＮ２３を起点として分散補償設計されるノードであり、固定分散補償器を備えている。【０１１９】
伝送路Ｓ２１〜Ｓ２８は、波長分散計数が１７ｐｓ／ｎｍ／ｋｍのＳＭＦであるとする。また、ノードＮ２１，Ｎ２２，Ｎ２４〜Ｎ２７が備えている固定分散補償器のステップ数は２００ｐｓ／ｎｍであるとする。【０１２０】
図１２は、図１１に示したリング＃１の具体的な設計値を示す図である。図１３は、図１１に示したリング＃２の具体的な設計値を示す図である。図１２および図１３の各項目７１０〜７５０は図７に示した項目と同様であるため同一の符号を付して説明を省略する。【０１２１】
まず、リング＃１の伝送路Ｓ２１〜Ｓ２４で発生する波長分散量７２０を算出する。伝送路Ｓ２１〜Ｓ２４のスパン７１０と波長分散係数１７ｐｓ／ｎｍ／ｋｍとの乗算により、伝送路Ｓ２１〜Ｓ２４で発生する波長分散量７２０は以下のように算出できる。【０１２２】
Ｓ２３：５６１ｐｓ／ｎｍ
Ｓ２４：９３５ｐｓ／ｎｍ
Ｓ２１：１１２２ｐｓ／ｎｍ
Ｓ２２：１４９６ｐｓ／ｎｍ【０１２３】
つぎに、リング＃２の伝送路Ｓ２５〜Ｓ２８で発生する波長分散量７２０を算出する。伝送路Ｓ２５〜Ｓ２８のスパン７１０と波長分散係数１７ｐｓ／ｎｍ／ｋｍとの乗算により、伝送路Ｓ２５〜Ｓ２８で発生する波長分散量７２０は以下のように算出できる。【０１２４】
Ｓ２５：７４８ｐｓ／ｎｍ
Ｓ２６：１１２２ｐｓ／ｎｍ
Ｓ２７：９３５ｐｓ／ｎｍ
Ｓ２８：１３０９ｐｓ／ｎｍ【０１２５】
つぎに、ノードＮ２２〜Ｎ２７の固定分散補償器の選択を行う。ノードＮ２２〜Ｎ２７の理想的な分散補償量７３０，実際の分散補償量７４０およびＲＤｔｇｔからのずれ量７５０は以下のように算出できる。【０１２６】
Ｎ２４：理想分散補償量５６１ｐｓ／ｎｍ，実際の補償量６００ｐｓ／ｎｍ，ＲＤｔｇｔからのずれ量ｄ（Ｎ２３，２４）−３９ｐｓ／ｎｍ
Ｎ２１：理想分散補償量８９６ｐｓ／ｎｍ，実際の補償量８００ｐｓ／ｎｍ，ＲＤｔｇｔからのずれ量ｄ（Ｎ２３，２１）９６ｐｓ／ｎｍ
Ｎ２２：理想分散補償量１２１８ｐｓ／ｎｍ，実際の補償量１２００ｐｓ／ｎｍ，ＲＤｔｇｔからのずれ量ｄ（Ｎ２３，２２）１８ｐｓ／ｎｍ
Ｎ２５：理想分散補償量７４８ｐｓ／ｎｍ，実際の補償量８００ｐｓ／ｎｍ，ＲＤｔｇｔからのずれ量ｄ（Ｎ２３，Ｎ２５）−５２ｐｓ／ｎｍ
Ｎ２６：理想分散補償量１０７０ｐｓ／ｎｍ，実際の補償量１０００ｐｓ／ｎｍ，ＲＤｔｇｔからのずれ量ｄ（Ｎ２３，Ｎ２６）７０ｐｓ／ｎｍ
Ｎ２７：理想分散補償量１００５ｐｓ／ｎｍ，実際の補償量１０００ｐｓ／ｎｍ，ＲＤｔｇｔからのずれ量ｄ（Ｎ２３，Ｎ２７）５ｐｓ／ｎｍ【０１２７】
つぎに、起点ノードであるノードＮ２３（リング＃１側）の可変分散補償器２１１の分散補償量の設定を行う。ノードＮ２３（リング＃１側）の理想的な分散補償量７３０，実際の分散補償量７４０およびＲＤｔｇｔからのずれ量７５０は以下のように算出できる。【０１２８】
Ｎ２３（リング＃１側）：理想分散補償量１５１４ｐｓ／ｎｍ，実際の補償量１５１４ｐｓ／ｎｍ，ＲＤｔｇｔからのずれ量０ｐｓ／ｎｍ【０１２９】
つぎに、起点ノードであるノードＮ２３（リング＃２側）の可変分散補償器２１１の分散補償量の設定を行う。ノードＮ２３（リング＃２側）の理想的な分散補償量７３０，実際の分散補償量７４０およびＲＤｔｇｔからのずれ量７５０は以下のように算出できる。【０１３０】
Ｎ２３（リング＃２側）：理想分散補償量１３１４ｐｓ／ｎｍ，実際の補償量１３１４ｐｓ／ｎｍ，ＲＤｔｇｔからのずれ量０ｐｓ／ｎｍ【０１３１】
上記設計により、ノードＮｉから挿入されてノードＮｊから分岐される光信号の残留分散量とＲＤｔｇｔとのずれ量ｄ（Ｎｉ，Ｎｊ）は常に±２００ｐｓ／ｎｍ以内になる。ｄ（Ｎｉ，Ｎｊ）の算出仮定については実施の形態１において説明したとおりであるので説明を省略する。【０１３２】
このように、実施の形態２にかかる通信ネットワークによれば、それぞれ個別に分散補償設計が行われた複数の通信ネットワークを接続するハブノードが可変分散補償器を備えることにより、これらの複数の通信ネットワークをまたがって伝送される光信号の残留分散量とＲＤｔｇｔとの最大ずれ量を固定分散補償器のステップ量Δに抑えることができる。このため、波長分散による光信号の劣化を抑えて通信特性を向上させることができる。【０１３３】
また、それぞれ個別に分散補償設計が行われた複数の通信ネットワークを接続するハブノードが可変分散補償器を備え、このハブノードをこれらの複数の通信ネットワークの分散補償設計の起点ノードとすることで、実施の形態１の効果を奏するとともに、これらの複数の通信ネットワークをまたがって伝送される光信号の残留分散量とＲＤｔｇｔとの最大ずれ量を固定分散補償器のステップ量Δに抑えることができる。【０１３４】
以上説明したように、この発明にかかる通信ネットワークおよび設計方法によれば、通信ネットワークの分散補償設計の起点ノードが可変分散補償器を備えることで、通信ネットワークのすべてのノード間の伝送における通信特性を向上させることができる。また、それぞれ個別に分散補償設計が行われた複数の通信ネットワークを接続するハブノードが可変分散補償器を備えることにより、これらの複数の通信ネットワークをまたがる伝送の通信特性を向上させることができる。【０１３５】
なお、上述した実施の形態１においてはノード＃１〜＃ｋがリング状に接続されたＲＯＡＤＭ通信ネットワークについて説明したが、本発明は、起点ノードと、起点ノードを起点として分散補償設計を行う複数のノードと、が直列に接続されて構成される通信ネットワーク全般に適用することができる。【０１３６】
また、上述した実施の形態２においては、２つのリング型の通信ネットワークが接続されて構成されたメッシュ型の通信ネットワークについて説明したが、メッシュ型の通信ネットワークは、一般的に、複数のリング型の通信ネットワークが互いに接続されたものと見なすことができる。このため、上述したメッシュ型の通信ネットワーク以外のメッシュ型の通信ネットワークに対しても本発明を適用することができる。
【産業上の利用可能性】
【０１３７】
以上のように、この発明にかかる通信ネットワークおよび設計方法は、起点ノードを起点として分散補償設計を行う通信ネットワークおよび設計方法に有用であり、特に、高速な伝送を行う通信ネットワークを低コストで設計する場合に適している。
【図１】
2009008042.tif 000003
【図２】
2009008042.tif 000004
【図３】
2009008042.tif 000005
【図４】
2009008042.tif 000006
【図５】
2009008042.tif 000007
【図６】
2009008042.tif 000008
【図７】
2009008042.tif 000009
【図８】
2009008042.tif 000010
【図９】
2009008042.tif 000011
【図１０】
2009008042.tif 000012
【図１１】
2009008042.tif 000013
【図１２】
2009008042.tif 000014
【図１３】
2009008042.tif 000015
【図１４】
2009008042.tif 000016
【図１５】
2009008042.tif 000017
【図１６】
2009008042.tif 000018
【図１７】
2009008042.tif 000019
【図１８】
2009008042.tif 000020
【図１９】
2009008042.tif 000021
【図２０】
2009008042.tif 000022
【手続補正書】
【提出日】平成21年10月22日(2009.10.22)
【手続補正１】
【補正対象書類名】特許請求の範囲
【補正対象項目名】全文
【補正方法】変更
【補正の内容】
【特許請求の範囲】
【請求項１】
起点ノードと、前記起点ノードを起点として分散補償設計を行う複数のノードと、を含む通信ネットワークであって、
通過させる光信号の残留分散量が所定の基準残留分散量となるように可変の分散補償量によって分散補償を行う可変分散補償器を有する起点ノードと、
前記基準残留分散量を基準として選択される固定分散補償器を有する複数のノードと、
を備えることを特徴とする通信ネットワーク。
【請求項２】
前記固定分散補償器は、前記起点ノードから出力された光信号を通過させ、通過させた光信号の残留分散量が前記基準残留分散量を基準とした所定の範囲内となる固定の分散補償量によって分散補償を行うことを特徴とする請求項１に記載の通信ネットワーク。
【請求項３】
前記起点ノードと前記複数のノードとがリング状に接続されることを特徴とする請求項１または２に記載の通信ネットワーク。
【請求項４】
前記起点ノードは、他の通信ネットワークと接続するハブノードであることを特徴とする請求項１または２に記載の通信ネットワーク。
【請求項５】
可変分散補償器を有する起点ノードと、固定分散補償器を有する複数のノードと、を含む通信ネットワークの分散補償の設計方法であって、
前記起点ノードを通過した光信号の残留分散量を基準残留分散量として前記複数のノードが有するそれぞれの固定分散補償器を選択する選択工程と、
前記可変分散補償器の分散補償量を設定する設定工程と、
を含むことを特徴とする設計方法。
【手続補正２】
【補正対象書類名】明細書
【補正対象項目名】全文
【補正方法】変更
【補正の内容】
【発明の詳細な説明】
【技術分野】
【０００１】
この発明は、起点ノードを起点として分散補償設計を行う通信ネットワークおよび設計方法に関する。
【背景技術】
【０００２】
近年の通信ネットワークにおけるトラフィック増加を背景として、波長分割多重（ＷＤＭ：Ｗａｖｅｌｅｎｇｔｈ  Ｄｉｖｉｓｉｏｎ  Ｍｕｌｔｉｐｌｅｘｉｎｇ）伝送装置への需要が高まっている。最近では、地域網（メトロ網）においてもＷＤＭ伝送装置の導入が活発に行われている。
【０００３】
地域網の特徴としてリング型の通信ネットワークの形態が取られることが多いが、今後、トラフィックの需要に柔軟に対応するためにメッシュ型の通信ネットワークに移行していくことが予測される。１０Ｇｂ／ｓ以上の光信号を長距離伝送する場合、光ファイバが持つ波長分散や光ファイバ中で発生する自己位相変調（ＳＰＭ：Ｓｅｌｆ  Ｐｈａｓｅ  Ｍｏｄｕｌａｔｉｏｎ）などの非線形光学効果により光波形が劣化する。
【０００４】
波長分散による光波形の劣化を補償するために、分散補償器による分散補償を行う必要がある。分散補償器には、分散補償ファイバ（ＤＣＦ：Ｄｉｓｐｅｒｓｉｏｎ  Ｃｏｍｐｅｎｓａｔｉｎｇ  Ｆｉｂｅｒ）などの分散補償量が固定のものや、ＶＩＰＡ（Ｖｉｒｔｕａｌｌｙ  Ｉｍａｇｅｄ  Ｐｈａｓｅｄ  Ａｒｒａｙ）型の可変分散補償器などの分散補償量が可変のものなどが利用されている。
【０００５】
また、リング型やメッシュ型の通信ネットワークにおいて、他の通信ネットワークから送信された光信号を挿入したり、光信号を他の通信ネットワークへ分岐したりするＯＡＤＭ（Ｏｐｔｉｃａｌ  Ａｄｄ  Ｄｒｏｐ  Ｍｕｌｔｉｐｌｅｘｏｒ）が用いられている（たとえば、下記特許文献１，２参照。）。
【０００６】
図１４は、従来のリング型の通信ネットワークの機能的構成を示すブロック図である。図１４に示すように、従来の通信ネットワーク１４００は、リング状に接続された４個のノード＃１〜＃４によって構成されたＲＯＡＤＭ（Ｒｅｃｏｎｆｉｇｕｒａｂｌｅ  ＯＡＤＭ）である。ＲＯＡＤＭは、ＯＡＤＭの一形態で、遠隔波長制御可能な波長多重化装置である。
【０００７】
通信ネットワーク１４００は、光信号を波長多重したＷＤＭ光信号を伝送し、ＷＤＭ光信号に含まれる各波長（チャネル）の光信号を他の通信ネットワークへ分岐し、または、他の通信ネットワークから送信された光信号をＷＤＭ光信号に挿入する。ノード＃１〜＃４のそれぞれは固定分散補償器を備えたＲＯＡＤＭノードである。
【０００８】
経路１４１０は、他の通信ネットワークからノード＃１へ挿入された光信号がノード＃２〜＃４を通過してノード＃１へ戻る経路である。経路１４２０は、他の通信ネットワークからノード＃４へ挿入された光信号がノード＃１〜＃３を通過してノード＃３から他の通信ネットワークへ分岐する経路を示している。
【０００９】
図１５は、ＲＯＡＤＭノードの機能的構成を示すブロック図である。ＲＯＡＤＭノード１５００は、図１４に示したノード＃１〜＃４のそれぞれの構成例であり、通信ネットワーク１４００の他のＲＯＡＤＭノードから波長多重されて送信されたＷＤＭ光信号の一部を分岐（Ｄｒｏｐ）し、インターフェース部１５６０を介して他の通信ネットワークへ送信する。
【００１０】
また、ＲＯＡＤＭノード１５００は、他の通信ネットワークから送信された光信号をインターフェース部１５６０を介して受信し、ＲＯＡＤＭノード１５００を通過するＷＤＭ光信号に挿入する（Ａｄｄ）する。固定分散補償器１５０１は、通信ネットワーク１４００の他のＲＯＡＤＭノードから送信されたＷＤＭ光信号に対して固定の分散補償量によって分散補償を行う。
【００１１】
図１６は、通信ネットワークにおける累積残留分散量の変化を示す図である。図１６において、横軸は、光信号の経路の距離と、光信号が通過するノード＃１〜＃４と、を示している。縦軸は、図１４に示した経路１４１０，１４２０を通過した光信号の累積残留分散量を示している。
【００１２】
点線１６１０ａは、経路１４１０のように光信号がノード＃１から挿入された場合の累積分散量の変化を示している。ノード＃１〜＃４のそれぞれには固定分散補償器が設けられており、ノード＃１〜＃４のそれぞれにおいて累積分散量が低下する。この結果、ノード＃１〜＃４における累積分散量の変化は点線１６１０ｂのようになる。
【００１３】
点線１６２０ａは、経路１４２０のように光信号がノード＃４から挿入された場合の累積分散量の変化を示している。この結果、ノード＃１〜＃４における累積分散量の変化は点線１６２０ｂのようになる。符号１６３０は、光信号がノード＃１から挿入された場合のノード＃１〜＃４における理想的な残留分散量（以下、「ＲＤｔｇｔ」という）を示している。
【００１４】
符号１６４０は、光信号がノード＃１から挿入された場合の通信ネットワーク１４００における分散トレランスを示している。分散トレランスとは、受信側で所定の受信特性を得るために必要な残留分散量の範囲である。符号１６５０は、光信号がノード＃４から挿入された場合の通信ネットワーク１４００におけるＲＤｔｇｔを示している。
【００１５】
光ファイバ中で発生する自己位相変調などの非線形光学効果によって、伝送路中でチャープが発生する。このため、符号１６３０、１６４０および１６５０に示すように、通信ネットワークにおけるＲＤｔｇｔおよび分散トレランスは、光信号が通過するノード数およびノード間のスパンに応じて変化する。
【００１６】
図１７は、従来のリング型の通信ネットワークの分散補償設計を示す図である。図１７において、横軸は、光信号が通過するノード＃１〜＃４を示している。縦軸は、経路１４１０，１４２０を通過した光信号の残留分散量とＲＤｔｇｔとのずれ量を示している。以下、通信ネットワーク１４００へ挿入される光信号の残留分散はＲＤｔｇｔであるものとして説明する。
【００１７】
実線１７１０は、経路１４１０のように、ノード＃１を起点ノードとした分散補償の設計例である。他の通信ネットワークからノード＃１へ残留分散量がＲＤｔｇｔの光信号が挿入された場合を仮定して、ノード＃２，ノード＃３，ノード＃４，ノード＃１の順に固定分散補償器を選択する。
【００１８】
実線１７２０は、設計例１７１０のように設計された通信ネットワーク１４００において、経路１４２０のように、他の通信ネットワークからノード＃４へ挿入されてノード＃３から分岐する光信号の残留分散量とＲＤｔｇｔとのずれ量を示している。
【００１９】
図１８は、従来のメッシュ型の通信ネットワークの機能的構成を示すブロック図である。図１８に示すように、従来の通信ネットワーク１８００は、リング＃１とリング＃２とが接続されたメッシュ型の通信ネットワークである。リング＃１およびリング＃２のそれぞれは、図１４に示した従来の通信ネットワーク１４００と同様の構成である。
【００２０】
リング＃１は、固定分散補償器をそれぞれ備えたノード＃１１〜＃１５によって構成されている。リング＃２は、固定分散補償器をそれぞれ備えたノード＃２１〜＃２５によって構成されている。リング＃１のノード＃１２とリング＃２のノード＃２４とは、互いに接続しており、リング＃１とリング＃２とを接続するハブノードである。
【００２１】
経路１８１０は、他の通信ネットワークからリング＃１のノード＃１１へ挿入された光信号がノード＃１２〜＃１５を通過してノード＃１１へ戻る経路である。経路１８２０は、他の通信ネットワークからリング＃２のノード＃２１へ挿入された光信号がノード＃２２〜＃２５を通過してノード＃２１へ戻る経路である。
【００２２】
経路１８３０は、他の通信ネットワークからリング＃１のノード＃１５へ挿入された光信号がノード＃１１，ノード＃１２を通過してリング＃２へ分岐され、リング＃２のノード＃２４，ノード＃２５，ノード＃２１を通過してノード＃２１から他の通信ネットワークへ分岐する経路を示している。
【００２３】
図１９は、ハブノードの機能的構成を示すブロック図である。図１９において、図１５に示した構成と同様の構成については同一の符号を付して説明を省略する。リング＃１のノード＃１２およびリング＃２のノード＃２４のそれぞれは、図１５に示したＲＯＡＤＭノード１５００と同様の構成であり、固定分散補償器１５０１を備えている。
【００２４】
図２０は、従来のメッシュ型の通信ネットワークの分散補償設計を示す図である。図２０において、符号２００１は、リング＃１における光信号の残留分散量とＲＤｔｇｔとのずれ量の特性を示している。符号２００２は、リング＃２における光信号の残留分散量とＲＤｔｇｔとのずれ量の特性を示している。
【００２５】
実線２０１０は、経路１８１０のように、ノード＃１１を起点ノードとしたリング＃１の分散補償の設計例を示している。実線２０２０は、経路１８２０のように、ノード＃２１を起点ノードとしたリング＃２の分散補償の設計例を示している。
【００２６】
太線２０３０は、経路１８３０のように、リング＃１のノード＃１５から挿入され、ノード＃１１，ノード＃１２を通過してリング＃２へ分岐され（符号２００３）、リング＃２のノード＃２４，ノード＃２５，ノード＃２１を通過してノード＃２１から分岐する光信号の残留分散量とＲＤｔｇｔとのずれ量を示している。
【先行技術文献】
【特許文献】
【００２７】
【特許文献１】特開２００６−１３５７８８号公報
【特許文献２】国際公開第２００４／０９８１０２号パンフレット
【発明の概要】
【発明が解決しようとする課題】
【００２８】
しかしながら、上述した従来技術では、固定分散補償器の分散補償量のステップ量によっては、残留分散量とＲＤｔｇｔとのずれ量が大きくなるという問題がある。たとえば、図１４に示したリング型の通信ネットワーク１４００において、ノード＃１〜＃４が備える固定分散補償器１５０１の分散補償量のステップ量をΔとする。この場合、図１７に示すように、ノード＃１から挿入された光信号のノード＃１〜＃４における光信号の残留分散量とＲＤｔｇｔとのずれ量は最大で±Δ／２となる。
【００２９】
また、ノード＃１を通過した光信号の残留分散量がＲＤｔｇｔであると仮定して分散補償設計を行うため、ノード＃１を通過した光信号の残留分散量がＲＤｔｇｔでない場合、ノード＃１が備える固定分散補償器１５０１の分散補償量のステップ量によっては、残留分散量とＲＤｔｇｔとのずれ量が大きくなるという問題がある。
【００３０】
たとえば、図１７の設計例１７１０のように設計された通信ネットワーク１４００において、他の通信ネットワークからノード＃４へ残留分散量がＲＤｔｇｔの光信号が挿入されるとする。この場合、ノード＃１の固定分散補償器１５０１のステップ量Δによっては、ノード＃１を通過した光信号の残留分散量がＲＤｔｇｔとならない。
【００３１】
このため、ノード＃１〜＃４における残留分散量は符号１７２０に示したようになり、ノード＃１〜＃４における残留分散量とＲＤｔｇｔとのずれ量は最大で±３Δ／２となる。したがって、固定分散補償器のステップ量Δを大きくすると、分岐される光信号の残留分散量とＲＤｔｇｔとのずれ量が大きくなる。
【００３２】
また、図１８に示したメッシュ型の通信ネットワーク１８００において、ハブノードを通過した光信号の残留分散量がＲＤｔｇｔでない場合、残留分散量とＲＤｔｇｔとのずれ量が大きくなるという問題がある。たとえば、図２０の設計例２０１０および設計例２０２０のように設計された通信ネットワーク１８００において、リング＃１とリング＃２とをまたがった経路で光信号が伝送されるとする。
【００３３】
この場合、ノード＃１２の固定分散補償器のステップ量Δによっては、ノード＃１２を通過した光信号の残留分散量がＲＤｔｇｔとならない。このため、各ノードにおける残留分散量は太線２０３０に示したようになり、各ノードにおける残留分散量とＲＤｔｇｔとのずれ量は最大で±５Δ／２となる。したがって、固定分散補償器のステップ量Δを大きくすると、分岐される光信号の残留分散量とＲＤｔｇｔとのずれ量が大きくなる。
【００３４】
このため、波長分散による光信号の劣化が大きくなり、通信特性が劣化するという問題がある。また、分岐される光信号の残留分散量とＲＤｔｇｔとのずれ量を小さくするために固定分散補償器のステップ量Δを小さくすると、必要な固定分散補償器の数と種類が多くなり、通信ネットワークの設計および維持のコストが増加するという問題がある。
【００３５】
また、分岐される光信号の残留分散量とＲＤｔｇｔとのずれ量を小さくするために可変分散補償器を使用することが考えられるが、可変分散補償器は一般に高価であるため、可変分散補償器をすべてのノードに適用すると通信ネットワークのコストが増加するという問題がある。また、可変分散補償器を用いる場合、その通過帯域特性により、多数の分散補償器を通過した光信号はアイ開口が劣化するため、通信特性が劣化するという問題がある。
【００３６】
この発明は、上述した問題点を解消するものであり、波長分散による光信号の劣化を抑えて通信特性を向上させることができる通信ネットワークおよび設計方法を提供することを目的とする。
【課題を解決するための手段】
【００３７】
この発明にかかる通信ネットワークは、起点ノードと、前記起点ノードを起点として分散補償設計を行う複数のノードと、を含む通信ネットワークであって、通過させる光信号の残留分散量が所定の基準残留分散量となるように可変の分散補償量によって分散補償を行う可変分散補償器を有する起点ノードと、前記基準残留分散量を基準として選択される固定分散補償器を有する複数のノードと、を備えることを特徴とする。基準残留分散量は、伝送路の長さや特性を基に、良好な伝送特性が得られるように算出され、与えられる量である。
【００３８】
上記構成によれば、通信ネットワークの分散補償設計の起点ノードが可変分散補償器を備えることで、通信ネットワークのすべてのノード間の伝送において、残留分散量の理想的な残留分散量とのずれ量を抑えることができる。
【発明の効果】
【００３９】
この発明によれば、波長分散による光信号の劣化を抑えて通信特性を向上させることができるという効果を奏する。
【図面の簡単な説明】
【００４０】
【図１】実施の形態１にかかる通信ネットワークの機能的構成を示すブロック図である。
【図２】ＲＯＡＤＭノードの機能的構成を示すブロック図である。
【図３】実施の形態１にかかる通信ネットワークの分散補償設計の手順を示すフローチャートである。
【図４】実施の形態１にかかる通信ネットワークの分散補償設計（ノード数ｋ）を示す図である。
【図５】実施の形態１にかかる通信ネットワークの分散補償設計（ノード数４）を示す図である。
【図６】実施の形態１の実施例にかかる通信ネットワークの機能的構成を示すブロック図である。
【図７】図６に示した通信ネットワークの具体的な設計値を示す図である。
【図８】実施の形態２にかかる通信ネットワークの機能的構成を示すブロック図である。
【図９】ハブノードの機能的構成を示すブロック図である。
【図１０】実施の形態２にかかる通信ネットワークの分散補償設計を示す図である。
【図１１】実施の形態２の実施例にかかる通信ネットワークの機能的構成を示すブロック図である。
【図１２】図１１に示したリング＃１の具体的な設計値を示す図である。
【図１３】図１１に示したリング＃２の具体的な設計値を示す図である。
【図１４】従来のリング型の通信ネットワークの機能的構成を示すブロック図である。
【図１５】ＲＯＡＤＭノードの機能的構成を示すブロック図である。
【図１６】通信ネットワークにおける累積残留分散量の変化を示す図である。
【図１７】従来のリング型の通信ネットワークの分散補償設計を示す図である。
【図１８】従来のメッシュ型の通信ネットワークの機能的構成を示すブロック図である。
【図１９】ハブノードの機能的構成を示すブロック図である。
【図２０】従来のメッシュ型の通信ネットワークの分散補償設計を示す図である。
【発明を実施するための形態】
【００４１】
以下に添付図面を参照して、この発明にかかる通信ネットワークおよび設計方法の好適な実施の形態を詳細に説明する。
【００４２】
（実施の形態１）
（通信ネットワークの構成）
図１は、実施の形態１にかかる通信ネットワークの機能的構成を示すブロック図である。図１に示すように、実施の形態１にかかる通信ネットワーク１００は、リング状に接続されたｋ個のノード＃１〜＃ｋによって構成されたＲＯＡＤＭである。通信ネットワーク１００は、ノード＃１を起点ノードとして分散補償設計を行う通信ネットワークである。
【００４３】
通信ネットワーク１００は、光信号を波長多重したＷＤＭ光信号を伝送し、ＷＤＭ光信号の波長（チャネル）ごとに他の通信ネットワークへ分岐し、または他の通信ネットワークから送信された光信号を挿入する。ノード＃１は、可変分散補償器を備えたＲＯＡＤＭノードである。ノード＃２〜＃ｋのそれぞれは、固定分散補償器を備えたＲＯＡＤＭノード（図１５参照）である。
【００４４】
経路１１０は、他の通信ネットワークからノード＃１へ挿入された光信号がノード＃２，ノード＃３，ノード＃４，…，ノード＃ｋを通過してノード＃１へ戻る経路である。経路１２０は、他の通信ネットワークからノード＃４へ挿入された光信号がノード＃ｋ，ノード＃１，ノード＃２，ノード＃３を通過してノード＃３から他の通信ネットワークへ分岐する経路を示している。
【００４５】
図２は、ＲＯＡＤＭノードの機能的構成を示すブロック図である。ＲＯＡＤＭノード２００は、図１に示したノード＃１の構成例であり、プリアンプ部２１０と、分波器２２０と、分岐挿入部２３０（Ａｄｄ／Ｄｒｏｐ）と、合波器２４０と、ポストアンプ部２５０と、を備えている。また、分岐挿入部２３０は、他の通信ネットワークとの伝送を行うインターフェース部２６０と接続している。
【００４６】
ＲＯＡＤＭノード２００は、通信ネットワーク１００の他のＲＯＡＤＭノード（ノード＃ｋ）から波長多重されて送信されたＷＤＭ光信号の一部を分岐（Ｄｒｏｐ）し、インターフェース部２６０を介して他の通信ネットワークへ送信する。また、ＲＯＡＤＭノード２００は、他の通信ネットワークから送信された光信号をインターフェース部２６０を介して受信し、ＲＯＡＤＭノード２００を通過するＷＤＭ光信号に挿入（Ａｄｄ）する。
【００４７】
プリアンプ部２１０は、可変分散補償器２１１および増幅器２１２を備えている。可変分散補償器２１１は、通信ネットワーク１００の他のノードから送信されたＷＤＭ光信号に対して可変の分散補償量によって分散補償を行う。可変分散補償器２１１は、たとえばＦＢＧ（Ｆｉｂｅｒ  Ｂｒａｇｇ  Ｇｒａｔｉｎｇ）、ＶＩＰＡ（Ｖｉｒｔｕａｌｌｙ  Ｉｍａｇｅｄ  Ｐｈａｓｅｄ  Ａｒｒａｙ）板またはリング共振器である。
【００４８】
可変分散補償器２１１は、分散補償を行った光信号を増幅器２１２へ出力する。増幅器２１２は、可変分散補償器２１１から出力された光信号を増幅して分波器２２０へ出力する。分波器２２０は、プリアンプ部２１０から出力された光信号を多重分離する。分波器２２０は、多重分離したそれぞれの光信号を分岐挿入部２３０へ出力する。
【００４９】
分岐挿入部２３０は、図示しないスイッチの切替などにより、分波器２２０から出力されたそれぞれの光信号を個別に合波器２４０またはインターフェース部２６０へ出力する。また、分岐挿入部２３０は、インターフェース部２６０から出力された光信号を合波器２４０へ出力する。
【００５０】
合波器２４０は、分岐挿入部２３０から出力されたそれぞれの光信号を波長多重する。合波器２４０は、波長多重したＷＤＭ光信号をポストアンプ部２５０へ出力する。ポストアンプ部２５０は、合波器２４０から出力されたＷＤＭ光信号を増幅して、通信ネットワーク１００の他のノード（ノード＃２）へ送信する。
【００５１】
インターフェース部２６０は、複数のトランスポンダから構成されている。インターフェース部２６０は、分岐挿入部２３０から出力された光信号をトランスポンダを介して他の通信ネットワークへ送信する。また、インターフェース部２６０は、他の通信ネットワークからトランスポンダを介して受信した光信号を分岐挿入部２３０へ出力する。
【００５２】
（通信ネットワークの分散補償設計）
つぎに、通信ネットワーク１００の分散補償設計について説明する。以下、通信ネットワーク１００へ挿入される光信号の残留分散はＲＤｔｇｔ（基準残留分散量）であるものとして説明する。通信ネットワーク１００の分散補償設計では、各ノード＃１〜＃ｋから分岐される光信号の残留分散量がＲＤｔｇｔに近づくように各ノード＃１〜＃ｋにおける分散補償量を設計する。
【００５３】
まず、可変分散補償器２１１を備えるノード＃１を、分散補償量を設計するための起点ノードに決定する。そして、ノード＃１へ挿入された光信号がノード＃２〜＃ｋのうちのいずれから分岐しても、分岐した光信号の残留分散量とＲＤｔｇｔとのずれ量が最小となるようにノード＃２〜＃ｋの固定分散補償器を選択する。これにより、分岐した光信号の残留分散量が分散トレランス（所定の範囲）に含まれるようにする。
【００５４】
ノード＃１から挿入されてノード＃ｎから分岐される光信号の残留分散量をＲＤ（ｎ）とする。また、ノード＃ｎから分岐される光信号の最適な残留分散量をＲＤｔｇｔ（ｎ）とする。ノード＃１から挿入されてノード＃ｎから分岐される光信号の残留分散量とＲＤｔｇｔとのずれ量ｄ（１，ｎ）は下記（１）式で示すことができる。
【００５５】
ｄ（１，ｎ）＝ＲＤ（ｎ）−ＲＤｔｇｔ（ｎ）  …（１）
【００５６】
また、通信ネットワーク１００を構成するノード数をｋとすると、ノード＃ｉから挿入されてノード＃ｊから分岐される光信号の残留分散量とＲＤｔｇｔとのずれ量ｄ（ｉ，ｊ）は下記（２）式で示すことができる。
【００５７】
ｄ（ｉ，ｊ）＝−ｄ（１，ｉ）＋ｄ（１，ｊ）＋ｄ（１，ｋ＋１）  …（２）
ただし、ｉ，ｊ＝１，２，…，ｋ
【００５８】
上記（２）式右辺の第１項は、ノード＃１から挿入されてノード＃ｉから分岐される光信号の残留分散量とＲＤｔｇｔとのずれ量を示している。第２項は、ノード＃１から挿入されてノード＃ｊから分岐される光信号の残留分散量とＲＤｔｇｔとのずれ量を示している。
【００５９】
第３項は、ノード＃１から挿入されてノード＃１から分岐される光信号の残留分散量とＲＤｔｇｔとのずれ量を示している。第３項のずれ量は、たとえば、ノード＃１へ挿入された光信号が、ノード＃２，…，ノード＃ｋ，ノード＃１を通過してノード＃１から分岐される場合の残留分散量とＲＤｔｇｔとのずれ量である。
【００６０】
図３は、実施の形態１にかかる通信ネットワークの分散補償設計の手順を示すフローチャートである。図３に示すように、まず、分散補償設計の起点となる起点ノードをノード＃１に決定する（ステップＳ３０１）。つぎに、各ノード＃１〜＃ｋにおけるＲＤｔｇｔ（図１６参照）を算出する（ステップＳ３０２）。各ノード＃１〜＃ｋにおけるＲＤｔｇｔ（所定の基準残留分散量）は、あらかじめ、伝送路の情報に基づいて算出され、または、データベースから取得される。
【００６１】
つぎに、分散補償設計を行うノード＃ｎをノード＃２に変更する（ｎ＝２）（ステップＳ３０３）。つぎに、ノード＃ｎ−１とノード＃ｎ間の伝送路で発生する波長分散量の情報を取得する（ステップＳ３０４）。ノード＃ｎ−１とノード＃ｎ間の伝送路で発生する波長分散量の情報は、ノード＃ｎ−１とノード＃ｎ間の伝送路のスパンや特性の情報に基づいて算出される。
【００６２】
つぎに、ノード＃ｎの理想的な分散補償量を算出する（ステップＳ３０５）。ノード＃ｎの理想的な分散補償量とは、ノード＃１から挿入されてノード＃ｎから分岐される光信号の残留分散量とＲＤｔｇｔとのずれ量ｄ（１，ｎ）が０となる分散補償量である。ノード＃ｎの理想的な分散補償量は、ノード＃ｎ−１から分岐される光信号の残留分散量と、ステップＳ３０４によって算出した波長分散量の情報と、に基づいて算出される。
【００６３】
つぎに、分散補償設計を行っているノード＃ｎがノード＃１（ｎ＝ｋ＋１）であるか否かを判断する（ステップＳ３０６）。ノード＃ｎがノード＃１でない場合（ステップＳ３０６：Ｎｏ）、ｄ（１，ｎ）が最小となるようにノード＃ｎの固定分散補償器を選択する（ステップＳ３０７）。つぎに、分散補償設計を行うノード＃ｎをノード＃ｎ＋１に変更し（ｎ＝ｎ＋１）（ステップＳ３０８）、ステップＳ３０４に戻って処理を続行する。
【００６４】
ステップＳ３０６においてノード＃ｎがノード＃１である場合（ステップＳ３０６：Ｙｅｓ）、ノード＃１から挿入され、ノード＃２〜＃ｋを通過してノード＃１から分岐される光信号の残留分散量とＲＤｔｇｔとのずれ量ｄ（１，ｋ＋１）が０となるようにノード＃１の可変分散補償器２１１の分散補償量を設定し（ステップＳ３０９）、通信ネットワーク１００の分散補償設計を終了する。
【００６５】
図４は、実施の形態１にかかる通信ネットワークの分散補償設計（ノード数ｋ）を示す図である。図４は、通信ネットワーク１００のノード数をｋとした場合（図１参照）の分散補償設計を示している。図４において、横軸は、光信号が通過するノード＃１〜＃ｋを示している。縦軸は、光信号の残留分散量とＲＤｔｇｔとのずれ量を示している。
【００６６】
実線４１０は、ノード＃１を起点ノードとした分散補償設計を示している。ノード＃１へ残留分散量がＲＤｔｇｔの光信号が挿入された場合を仮定して、各ノードから分岐される光信号の残留分散量とＲＤｔｇｔとのずれ量ｄ（１，２）〜ｄ（１，ｋ）が最小となるようにノード＃２，ノード＃３，…，ノード＃ｋの順に固定分散補償器を選択する。
【００６７】
ステップ量がΔの固定分散補償器を用いた場合、上記（１）式右辺のＲＤ（ｎ）をΔ単位で調節できるため、最適な固定分散補償器を選択することによって（１）式左辺のｄ（１，ｎ）の最大値を±Δ／２に抑えることができる。このため、ノード＃１から挿入されてノード＃２〜＃ｋのいずれかから分岐された光信号の残留分散量とＲＤｔｇｔとのずれ量ｄ（１，ｎ）の最大値を±Δ／２に抑えることができる。
【００６８】
上記（２）式右辺の第１項，第２項，第３項のそれぞれは最大で±Δ／２となる。符号４１１に示すように、ｄ（１，ｋ＋１）が０となるようにノード＃１の可変分散補償器２１１の分散補償量を設定することで、（２）式右辺の第３項を０とすることができる。このため、ノード＃ｉから挿入されてノード＃ｊのいずれかから分岐された光信号の残留分散量とＲＤｔｇｔとのずれ量ｄ（ｉ，ｊ）の最大値を±Δに抑えることができる。
【００６９】
たとえば、太線４２０は、図１の経路１２０のように、ノード＃４から挿入され、ノード＃ｋ，ノード＃１〜＃３を通過してノード＃３から分岐される光信号の残留分散量とＲＤｔｇｔとのずれ量を示している。太線４２０に示すように、光信号がノード＃４から挿入された場合、ノード＃１を通過した光信号の残留分散量がＲＤｔｇｔとならないが、ｄ（ｉ，ｊ）が最大となるｄ（４，３）を−Δに抑えることができる。
【００７０】
図５は、実施の形態１にかかる通信ネットワークの分散補償設計（ノード数４）を示す図である。図５は、通信ネットワーク１００のノード数を４とした場合（図１４参照）の分散補償設計を示している。図５において、図４に示した部分と同様の部分については同一の符号を付して説明を省略する。点線５１０は、ノード＃１が備える分散補償器が固定分散補償器であると仮定した場合のノード＃１を起点ノードとした分散補償設計（図１７参照）を示している。
【００７１】
太点線５２０は、ノード＃１が備える分散補償器が固定分散補償器であると仮定した場合に、ノード＃４から挿入され、ノード＃１〜＃３を通過してノード＃３から分岐される光信号の残留分散量とＲＤｔｇｔとのずれ量を示している。太点線５２０に示すように、ノード＃１が備える分散補償器が固定分散補償器であると仮定した場合、ノード＃４から挿入され、ノード＃１〜＃３を通過してノード＃３から分岐される光信号の残留分散量とＲＤｔｇｔとのずれ量は−３Δ／２である。
【００７２】
これに対して、太線４２０に示すように、ノード＃１が備える分散補償器が可変分散補償器２１１である場合、ノード＃４から挿入され、ノード＃１〜＃３を通過してノード＃３から分岐される光信号の残留分散量とＲＤｔｇｔとのずれ量は−Δとなる。したがって、ノード＃１が可変分散補償器２１１を備えることによって、符号５２１に示すように、残留分散量とＲＤｔｇｔとのずれ量が３３％改善される。
【００７３】
（実施例）
図６は、実施の形態１の実施例にかかる通信ネットワークの機能的構成を示すブロック図である。図６に示すように、実施の形態１の実施例にかかる通信ネットワーク１００のノード数を４とし、各ノードをノードＮ１１〜Ｎ１４とする。また、ノードＮ１１およびノードＮ１２間の伝送路を伝送路Ｓ１１、ノードＮ１２およびノードＮ１３間の伝送路を伝送路Ｓ１２、ノードＮ１３およびノードＮ１４間の伝送路を伝送路Ｓ１３、ノードＮ１４およびノードＮ１１間の伝送路を伝送路Ｓ１４とする。
【００７４】
ノードＮ１１は、通信ネットワーク１００の分散補償設計の起点ノードであり可変分散補償器２１１を備えている。ノードＮ１２〜Ｎ１４は、ノードＮ１１を起点として分散補償設計されるノードであり、固定分散補償器を備えている。伝送路Ｓ１１〜Ｓ１４は、波長分散係数が１７ｐｓ／ｎｍ／ｋｍのＳＭＦ（Ｓｉｎｇｌｅ  Ｍｏｄｅ  Ｆｉｂｅｒ）であるとする。また、ノード１２〜Ｎ１４が備えている固定分散補償器のステップ数は２００ｐｓ／ｎｍであるとする。
【００７５】
図７は、図６に示した通信ネットワークの具体的な設計値を示す図である。図７において、項目７１０は、伝送路Ｓ１１〜Ｓ１４のスパンを示している。項目７２０は、伝送路Ｓ１１〜Ｓ１４で発生する波長分散量を示している。項目７３０は、ノードＮ１１〜Ｎ１４の理想的な分散補償量を示している。項目７４０は、ノードＮ１１〜Ｎ１４の分散補償器の分散補償量を示している。項目７５０は、ノードＮ１１〜Ｎ１４から分岐される光信号の残留分散量とＲＤｔｇｔとのずれ量ｄ（ｉ，ｊ）を示している。
【００７６】
まず、伝送路Ｓ１１〜Ｓ１４で発生する波長分散量７２０を算出する。伝送路Ｓ１１〜Ｓ１４のスパン７１０と波長分散係数１７ｐｓ／ｎｍ／ｋｍとの乗算により、伝送路Ｓ１１〜Ｓ１４で発生する波長分散量７２０は以下のように算出できる。
【００７７】
Ｓ１１：５６１ｐｓ／ｎｍ
Ｓ１２：９３５ｐｓ／ｎｍ
Ｓ１３：１１２２ｐｓ／ｎｍ
Ｓ１４：１４９６ｐｓ／ｎｍ
【００７８】
つぎに、ノードＮ１２〜Ｎ１４の固定分散補償器の選択を行う。ノードＮ１２〜Ｎ１４の理想的な分散補償量７３０，実際の分散補償量７４０およびＲＤｔｇｔからのずれ量７５０は以下のように算出できる。
【００７９】
Ｎ１２：理想分散補償量５６１ｐｓ／ｎｍ，実際の補償量６００ｐｓ／ｎｍ，ＲＤｔｇｔからのずれ量ｄ（Ｎ１１，Ｎ１２）−３９ｐｓ／ｎｍ
Ｎ１３：理想分散補償量８９６ｐｓ／ｎｍ，実際の補償量８００ｐｓ／ｎｍ，ＲＤｔｇｔからのずれ量ｄ（Ｎ１１，Ｎ１３）９６ｐｓ／ｎｍ
Ｎ１４：理想分散補償量１２１８ｐｓ／ｎｍ，実際の補償量１２００ｐｓ／ｎｍ，ＲＤｔｇｔからのずれ量ｄ（Ｎ１１，Ｎ１４）１８ｐｓ／ｎｍ
【００８０】
つぎに、起点ノードであるノードＮ１１の可変分散補償器２１１の分散補償量の設定を行う。ノードＮ１１の理想的な分散補償量７３０，実際の分散補償量７４０およびＲＤｔｇｔからのずれ量７５０は以下のように算出できる。
【００８１】
Ｎ１１：理想分散補償量１５１４ｐｓ／ｎｍ，実際の補償量１５１４ｐｓ／ｎｍ，ＲＤｔｇｔからのずれ量０ｐｓ／ｎｍ
【００８２】
上記設計により、ノードＮｉから挿入されてノードＮｊから分岐される光信号の残留分散量とＲＤｔｇｔとのずれ量ｄ（Ｎｉ，Ｎｊ）は以下のように算出でき、ｄ（Ｎｉ，Ｎｊ）は常に±２００ｐｓ／ｎｍ以内になる。
【００８３】
Ｎ１２→Ｎ１３の経路でのずれ量ｄ（Ｎ１２，Ｎ１３）＝−ｄ（Ｎ１１，Ｎ１２）＋ｄ（Ｎ１１，Ｎ１３）＝３９＋９６＝１３５ｐｓ／ｎｍ
Ｎ１２→Ｎ１４の経路でのずれ量ｄ（Ｎ１２，Ｎ１４）＝−ｄ（Ｎ１１，Ｎ１２）＋ｄ（Ｎ１１，Ｎ１４）＝３９＋１８＝５７ｐｓ／ｎｍ
Ｎ１２→Ｎ１１の経路でのずれ量ｄ（Ｎ１２，Ｎ１１）＝−ｄ（Ｎ１１，Ｎ１２）＋ｄ（Ｎ１１，Ｎ１１）＝３９＋０＝３９ｐｓ／ｎｍ
Ｎ１３→Ｎ１４の経路でのずれ量ｄ（Ｎ１３，Ｎ１４）＝−ｄ（Ｎ１１，Ｎ１３）＋ｄ（Ｎ１１，Ｎ１４）＝−９６＋１８＝−７８ｐｓ／ｎｍ
Ｎ１３→Ｎ１１の経路でのずれ量ｄ（Ｎ１３，Ｎ１１）＝−ｄ（Ｎ１１，Ｎ１３）＋ｄ（Ｎ１１，Ｎ１１）＝−９６＋０＝−９６ｐｓ／ｎｍ
Ｎ１３→Ｎ１２の経路でのずれ量ｄ（Ｎ１３，Ｎ１２）＝−ｄ（Ｎ１１，Ｎ１３）＋ｄ（Ｎ１１，Ｎ１２）＝−９６−３６＝−１３５ｐｓ／ｎｍ
Ｎ１４→Ｎ１１の経路でのずれ量ｄ（Ｎ１４，Ｎ１１）＝−ｄ（Ｎ１１，Ｎ１４）＋ｄ（Ｎ１１，Ｎ１１）＝−１８＋０＝−１８ｐｓ／ｎｍ
Ｎ１４→Ｎ１２の経路でのずれ量ｄ（Ｎ１４，Ｎ１２）＝−ｄ（Ｎ１１，Ｎ１４）＋ｄ（Ｎ１１，Ｎ１２）＝−１８−３９＝−５７ｐｓ／ｎｍ
Ｎ１４→Ｎ１３の経路でのずれ量ｄ（Ｎ１４，Ｎ１３）＝−ｄ（Ｎ１１，Ｎ１４）＋ｄ（Ｎ１１，Ｎ１３）＝−１８＋９６＝７８ｐｓ／ｎｍ
【００８４】
このように、実施の形態１にかかる通信ネットワークによれば、通信ネットワークの分散補償設計の起点ノードが可変分散補償器を備えることで、通信ネットワークのすべてのノード間の伝送において、残留分散量とＲＤｔｇｔとの最大ずれ量を固定分散補償器のステップ量Δに抑えることができる。このため、波長分散による光信号の劣化を抑えて通信特性を向上させることができる。
【００８５】
また、通信ネットワークにおけるノードのうち起点ノードのみに可変分散補償器を適用すればよいため、通信ネットワークのコストを低減することができる。また、たとえば可変分散補償器としてＶＩＰＡを用いる場合、通信ネットワークにおけるノードのうち起点ノードのみにＶＩＰＡを適用すればよいため光信号のアイ開口が劣化せず、通信特性を向上させることができる。
【００８６】
（実施の形態２）
（通信ネットワークの構成）
図８は、実施の形態２にかかる通信ネットワークの機能的構成を示すブロック図である。図８に示すように、実施の形態２にかかる通信ネットワーク８００は、リング＃１とリング＃２とが接続されたメッシュ型の通信ネットワークである。リング＃１およびリング＃２のそれぞれは、実施の形態１にかかる通信ネットワーク１００と同様の構成である。
【００８７】
リング＃１およびリング＃２のそれぞれはノード＃１〜＃ｋによって構成されている。リング＃１およびリング＃２のそれぞれが備えるノード＃Ｈは、互いに接続しており、リング＃１とリング＃２とを接続するハブノードである。ノード＃Ｈは、可変分散補償器を備えたＲＯＡＤＭノードである。
【００８８】
また、リング＃１およびリング＃２のそれぞれのノード＃１は、リング＃１とリング＃２の分散補償設計の起点ノードであり、可変分散補償器を備えたＲＯＡＤＭノードである。リング＃１およびリング＃２のそれぞれのノード＃２，＃ｋ−１，＃ｋは、固定分散補償器を備えたＲＯＡＤＭノード（図１５参照）である。
【００８９】
経路８１０は、他の通信ネットワークからリング＃１のノード＃１へ挿入された光信号がノード＃２，…，ノード＃Ｈ，ノード＃ｋを通過してノード＃１へ戻る経路である。経路８２０は、他の通信ネットワークからリング＃２のノード＃１へ挿入された光信号がノード＃２，ノード＃３，ノード＃Ｈ，…，ノード＃ｋを通過してノード＃１へ戻る経路である。
【００９０】
経路８３０は、他の通信ネットワークからリング＃１のノード＃１へ挿入された光信号がノード＃２，ノード＃Ｈを通過してリング＃２へ分岐され、リング＃２のノード＃Ｈ，ノード＃ｋ，ノード＃１を通過してノード＃１から他の通信ネットワークへ分岐する経路を示している。
【００９１】
図９は、ハブノードの機能的構成を示すブロック図である。図８において、図２に示した構成と同様の構成については同一の符号を付して説明を省略する。リング＃１およびリング＃２のそれぞれのノード＃Ｈは、図２に示したＲＯＡＤＭノード２００と同様の構成であり、可変分散補償器２１１を備えている。
【００９２】
リング＃１のノード＃Ｈの分岐挿入部２３０は、分波器２２０から出力されたそれぞれの光信号を合波器２４０またはリング＃２へ出力する。また、リング＃１のノード＃Ｈの分岐挿入部２３０は、リング＃２から出力された光信号をリング＃１のノード＃Ｈの合波器２４０へ出力する。
【００９３】
リング＃２のノード＃Ｈの分岐挿入部２３０は、分波器２２０から出力されたそれぞれの光信号を合波器２４０またはリング＃１へ出力する。また、リング＃２のノード＃Ｈの分岐挿入部２３０は、リング＃１から出力された光信号をリング＃２のノード＃Ｈの合波器２４０へ出力する。
【００９４】
（通信ネットワークの分散補償設計）
つぎに、実施の形態２にかかる通信ネットワーク８００の分散補償設計について説明する。通信ネットワーク８００においては、リング＃１とリング＃２とについて分散補償設計を個別に行う。リング＃１およびリング＃２のそれぞれの分散補償設計の手順は図３に示した手順と同様であるため説明を省略する。
【００９５】
リング＃１のノード＃ｉから挿入されてリング＃２のノード＃ｊから分岐される光信号の残留分散量とＲＤｔｇｔとのずれ量ｄ（ｉ，ｊ）は下記（３）式で示すことができる。
【００９６】
ｄ（ｉ，ｊ）＝ｄ１（ｉ，Ｈ）＋ｄ２（Ｈ，ｊ）  …（３）
【００９７】
上記（３）式右辺の第１項は、リング＃１のノード＃ｉから挿入されてノード＃Ｈからリング＃２へ分岐される光信号の残留分散量とＲＤｔｇｔとのずれ量を示している。第２項は、リング＃２のノード＃Ｈから挿入されてリング＃２のノード＃ｊから分岐される光信号の残留分散量とＲＤｔｇｔとのずれ量を示している。（３）式右辺のｄ１（ｉ，Ｈ）およびｄ２（Ｈ，ｊ）は下記（４）式および（５）式でそれぞれ示すことができる。
【００９８】
ｄ１（ｉ，Ｈ）＝−ｄ１（１，ｉ）＋ｄ１（１，Ｈ）＋ｄ１（１，ｋ＋１）…（４）
ただし、ｉ＝１，２，…，Ｈ，…，ｋ
【００９９】
ｄ２（Ｈ，ｊ）＝−ｄ２（１，Ｈ）＋ｄ２（１，ｊ）＋ｄ２（１，ｋ＋１）…（５）
ただし、ｉ＝１，２，…，Ｈ，…，ｋ
【０１００】
上記（４）式右辺の第１項は、リング＃１のノード＃１から挿入されてリング＃１のノード＃ｉから分岐される光信号の残留分散量とＲＤｔｇｔとのずれ量を示している。第２項は、リング＃１のノード＃１から挿入されてリング＃１のノード＃Ｈから分岐される光信号の残留分散量とＲＤｔｇｔとのずれ量を示している。第３項は、リング＃１のノード＃１から挿入され、リング＃１のノード＃２〜＃ｋを通過してリング＃１のノード＃１から分岐される光信号の残留分散量とＲＤｔｇｔとのずれ量を示している。
【０１０１】
上記（５）式右辺の第１項は、リング＃２のノード＃１から挿入されてリング＃２のノード＃ｉから分岐される光信号の残留分散量とＲＤｔｇｔとのずれ量を示している。第２項は、リング＃２のノード＃１から挿入されてリング＃２のノード＃Ｈから分岐される光信号の残留分散量とＲＤｔｇｔとのずれ量を示している。第３項は、リング＃２のノード＃１から挿入され、リング＃２のノード＃２〜＃ｋを通過してリング＃２のノード＃１から分岐される光信号の残留分散量とＲＤｔｇｔとのずれ量を示している。
【０１０２】
図１０は、実施の形態２にかかる通信ネットワークの分散補償設計を示す図である。図１０において、符号１００１は、リング＃１における光信号の残留分散量とＲＤｔｇｔとのずれ量の特性を示している。符号１００２は、リング＃２における光信号の残留分散量とＲＤｔｇｔとのずれ量の特性を示している。
【０１０３】
実線１０１０は、ノード＃１１を起点ノードとしたリング＃１の分散補償の設計例を示している。点線１０１１は、ノード＃１１が備える分散補償器が固定分散補償器であると仮定した場合のノード＃１１を起点ノードとしたリング＃１の分散補償の設計例を示している。
【０１０４】
実線１０２０は、ノード＃２１を起点ノードとしたリング＃２の分散補償の設計例を示している。点線１０２１は、ノード＃２１が備える分散補償器が固定分散補償器であると仮定した場合のノード＃２１を起点ノードとしたリング＃２の分散補償の設計例を示している。
【０１０５】
太線１０３０は、経路８３０を通過する光信号の残留分散量とＲＤｔｇｔとのずれ量を示している。太点線１０３１は、ノード＃１２およびノード＃２４が備える分散補償器が固定分散補償器であると仮定した場合の、経路８３０を通過する光信号の残留分散量とＲＤｔｇｔとのずれ量を示している。
【０１０６】
ステップ量がΔの固定分散補償器を用いた場合、上記（４）式右辺の第１項〜第３項，（５）式右辺の第１項〜第３項のそれぞれは最大で±Δ／２となる。また、ノード＃１１およびノード＃２１が備える可変分散補償器２１１の分散補償量の設定により、上記（４）式および（５）式の第３項を０とすることができる。このため、上記（４）式および（５）式で示したｄ１（ｉ，Ｈ）およびｄ２（Ｈ，ｊ）はそれぞれ下記（６）式および（７）式で示すことができる。
【０１０７】
ｄ１（ｉ，Ｈ）＝−ｄ１（１，ｉ）＋ｄ１（１，Ｈ）  …（６）
ただし、ｉ＝１，２，…，Ｈ，…，ｋ
【０１０８】
ｄ２（Ｈ，ｊ）＝−ｄ２（１，Ｈ）＋ｄ２（１，ｊ）  …（７）
ただし、ｉ＝１，２，…，Ｈ，…，ｋ
【０１０９】
これにより、リング＃１のノード＃ｉから挿入されてリング＃２のノード＃ｊから分岐される光信号の残留分散量とＲＤｔｇｔとのずれ量ｄ（ｉ，ｊ）の最大値を±２Δに抑えることができる。なお、ここでは通信ネットワーク８００を構成するリング数が２つなのでｄ（ｉ，ｊ）の最大値が±２Δとなるが、通信ネットワーク８００を構成するリング数が３，４，…の場合、ｄ（ｉ，ｊ）の最大値は±３Δ，±４Δ，…となる。
【０１１０】
また、ノード＃Ｈが備える可変分散補償器２１１の分散補償量の設定により、上記（６）式の第２項および（７）式の第２項を０とすることができる。このため、上記（３）式で示したリング＃１のノード＃ｉから挿入されてリング＃２のノード＃ｊから分岐される光信号の残留分散量とＲＤｔｇｔとのずれ量ｄ（ｉ，ｊ）は下記（８）式で示すことができる。
【０１１１】
ｄ（ｉ，ｊ）＝ｄ１（ｉ，Ｈ）＋ｄ２（Ｈ，ｊ）
＝−ｄ１（１，ｉ）＋ｄ２（１，ｊ）  …（８）
【０１１２】
これにより、リング＃１のノード＃ｉから挿入されてリング＃２のノード＃ｊから分岐される光信号の残留分散量とＲＤｔｇｔとのずれ量ｄ（ｉ，ｊ）の最大値を±Δに抑えることができる。なお、この場合のｄ（ｉ，ｊ）の最大値は、通信ネットワーク８００を構成するリングの数に依らずに±Δとなる。
【０１１３】
たとえば、太点線１０３１に示すように、ノード＃１２およびノード＃２４が備える分散補償器が固定分散補償器である場合、経路８３０を通過する光信号のノード＃２１における残留分散量とＲＤｔｇｔとのずれ量は−４Δ／２である。
【０１１４】
これに対して、太線１０３０に示すように、ノード＃１２およびノード＃２４が備える分散補償器が可変分散補償器２１１である場合、経路８３０のノード＃２１の残留分散量とＲＤｔｇｔとのずれ量は−Δ／２となる。したがって、ノード＃１が可変分散補償器２１１を備えることによって、符号１０３２に示すように、残留分散量とＲＤｔｇｔとのずれ量が６６％改善される。
【０１１５】
（実施例）
図１１は、実施の形態２の実施例にかかる通信ネットワークの機能的構成を示すブロック図である。図１１に示すように、通信ネットワーク８００のリング＃１およびリング＃２のノード数をそれぞれ４とし、リング＃１の各ノードをノードＮ２１〜Ｎ２４，リング＃２のノードをノードＮ２３，Ｎ２５〜Ｎ２７とする。ノードＮ２３はリング＃１およびリング＃２の共通のノードであり、リング＃１とリング＃２とを接続するハブノード（ＨＵＢ）である。
【０１１６】
また、ノードＮ２１およびノードＮ２２間の伝送路を伝送路Ｓ２１、ノードＮ２２およびノードＮ２３間の伝送路を伝送路Ｓ２２、ノードＮ２３およびノードＮ２４間の伝送路を伝送路Ｓ２３、ノードＮ２４およびノードＮ２１間の伝送路を伝送路Ｓ２４とする。また、ノードＮ２３およびノードＮ２５間の伝送路を伝送路Ｓ２５、ノードＮ２５およびノードＮ２６間の伝送路を伝送路Ｓ２６、ノードＮ２６およびノードＮ２７間の伝送路を伝送路Ｓ２７、ノードＮ２７およびノードＮ２３間の伝送路を伝送路Ｓ２８とする。
【０１１７】
実施の形態２の実施例にかかる通信ネットワーク８００では、ハブノードであるノードＮ２３をリング＃１およびリング＃２のそれぞれの起点ノードとする。ノードＮ２３は可変分散補償器２１１を備えている。ノードＮ２１，Ｎ２２，Ｎ２４〜Ｎ２７は、ノードＮ２３を起点として分散補償設計されるノードであり、固定分散補償器を備えている。
【０１１８】
伝送路Ｓ２１〜Ｓ２８は、波長分散計数が１７ｐｓ／ｎｍ／ｋｍのＳＭＦであるとする。また、ノードＮ２１，Ｎ２２，Ｎ２４〜Ｎ２７が備えている固定分散補償器のステップ数は２００ｐｓ／ｎｍであるとする。
【０１１９】
図１２は、図１１に示したリング＃１の具体的な設計値を示す図である。図１３は、図１１に示したリング＃２の具体的な設計値を示す図である。図１２および図１３の各項目７１０〜７５０は図７に示した項目と同様であるため同一の符号を付して説明を省略する。
【０１２０】
まず、リング＃１の伝送路Ｓ２１〜Ｓ２４で発生する波長分散量７２０を算出する。伝送路Ｓ２１〜Ｓ２４のスパン７１０と波長分散係数１７ｐｓ／ｎｍ／ｋｍとの乗算により、伝送路Ｓ２１〜Ｓ２４で発生する波長分散量７２０は以下のように算出できる。
【０１２１】
Ｓ２３：５６１ｐｓ／ｎｍ
Ｓ２４：９３５ｐｓ／ｎｍ
Ｓ２１：１１２２ｐｓ／ｎｍ
Ｓ２２：１４９６ｐｓ／ｎｍ
【０１２２】
つぎに、リング＃２の伝送路Ｓ２５〜Ｓ２８で発生する波長分散量７２０を算出する。伝送路Ｓ２５〜Ｓ２８のスパン７１０と波長分散係数１７ｐｓ／ｎｍ／ｋｍとの乗算により、伝送路Ｓ２５〜Ｓ２８で発生する波長分散量７２０は以下のように算出できる。
【０１２３】
Ｓ２５：７４８ｐｓ／ｎｍ
Ｓ２６：１１２２ｐｓ／ｎｍ
Ｓ２７：９３５ｐｓ／ｎｍ
Ｓ２８：１３０９ｐｓ／ｎｍ
【０１２４】
つぎに、ノードＮ２２〜Ｎ２７の固定分散補償器の選択を行う。ノードＮ２２〜Ｎ２７の理想的な分散補償量７３０，実際の分散補償量７４０およびＲＤｔｇｔからのずれ量７５０は以下のように算出できる。
【０１２５】
Ｎ２４：理想分散補償量５６１ｐｓ／ｎｍ，実際の補償量６００ｐｓ／ｎｍ，ＲＤｔｇｔからのずれ量ｄ（Ｎ２３，２４）−３９ｐｓ／ｎｍ
Ｎ２１：理想分散補償量８９６ｐｓ／ｎｍ，実際の補償量８００ｐｓ／ｎｍ，ＲＤｔｇｔからのずれ量ｄ（Ｎ２３，２１）９６ｐｓ／ｎｍ
Ｎ２２：理想分散補償量１２１８ｐｓ／ｎｍ，実際の補償量１２００ｐｓ／ｎｍ，ＲＤｔｇｔからのずれ量ｄ（Ｎ２３，２２）１８ｐｓ／ｎｍ
Ｎ２５：理想分散補償量７４８ｐｓ／ｎｍ，実際の補償量８００ｐｓ／ｎｍ，ＲＤｔｇｔからのずれ量ｄ（Ｎ２３，Ｎ２５）−５２ｐｓ／ｎｍ
Ｎ２６：理想分散補償量１０７０ｐｓ／ｎｍ，実際の補償量１０００ｐｓ／ｎｍ，ＲＤｔｇｔからのずれ量ｄ（Ｎ２３，Ｎ２６）７０ｐｓ／ｎｍ
Ｎ２７：理想分散補償量１００５ｐｓ／ｎｍ，実際の補償量１０００ｐｓ／ｎｍ，ＲＤｔｇｔからのずれ量ｄ（Ｎ２３，Ｎ２７）５ｐｓ／ｎｍ
【０１２６】
つぎに、起点ノードであるノードＮ２３（リング＃１側）の可変分散補償器２１１の分散補償量の設定を行う。ノードＮ２３（リング＃１側）の理想的な分散補償量７３０，実際の分散補償量７４０およびＲＤｔｇｔからのずれ量７５０は以下のように算出できる。
【０１２７】
Ｎ２３（リング＃１側）：理想分散補償量１５１４ｐｓ／ｎｍ，実際の補償量１５１４ｐｓ／ｎｍ，ＲＤｔｇｔからのずれ量０ｐｓ／ｎｍ
【０１２８】
つぎに、起点ノードであるノードＮ２３（リング＃２側）の可変分散補償器２１１の分散補償量の設定を行う。ノードＮ２３（リング＃２側）の理想的な分散補償量７３０，実際の分散補償量７４０およびＲＤｔｇｔからのずれ量７５０は以下のように算出できる。
【０１２９】
Ｎ２３（リング＃２側）：理想分散補償量１３１４ｐｓ／ｎｍ，実際の補償量１３１４ｐｓ／ｎｍ，ＲＤｔｇｔからのずれ量０ｐｓ／ｎｍ
【０１３０】
上記設計により、ノードＮｉから挿入されてノードＮｊから分岐される光信号の残留分散量とＲＤｔｇｔとのずれ量ｄ（Ｎｉ，Ｎｊ）は常に±２００ｐｓ／ｎｍ以内になる。ｄ（Ｎｉ，Ｎｊ）の算出仮定については実施の形態１において説明したとおりであるので説明を省略する。
【０１３１】
このように、実施の形態２にかかる通信ネットワークによれば、それぞれ個別に分散補償設計が行われた複数の通信ネットワークを接続するハブノードが可変分散補償器を備えることにより、これらの複数の通信ネットワークをまたがって伝送される光信号の残留分散量とＲＤｔｇｔとの最大ずれ量を固定分散補償器のステップ量Δに抑えることができる。このため、波長分散による光信号の劣化を抑えて通信特性を向上させることができる。
【０１３２】
また、それぞれ個別に分散補償設計が行われた複数の通信ネットワークを接続するハブノードが可変分散補償器を備え、このハブノードをこれらの複数の通信ネットワークの分散補償設計の起点ノードとすることで、実施の形態１の効果を奏するとともに、これらの複数の通信ネットワークをまたがって伝送される光信号の残留分散量とＲＤｔｇｔとの最大ずれ量を固定分散補償器のステップ量Δに抑えることができる。
【０１３３】
以上説明したように、この発明にかかる通信ネットワークおよび設計方法によれば、通信ネットワークの分散補償設計の起点ノードが可変分散補償器を備えることで、通信ネットワークのすべてのノード間の伝送における通信特性を向上させることができる。また、それぞれ個別に分散補償設計が行われた複数の通信ネットワークを接続するハブノードが可変分散補償器を備えることにより、これらの複数の通信ネットワークをまたがる伝送の通信特性を向上させることができる。
【０１３４】
なお、上述した実施の形態１においてはノード＃１〜＃ｋがリング状に接続されたＲＯＡＤＭ通信ネットワークについて説明したが、本発明は、起点ノードと、起点ノードを起点として分散補償設計を行う複数のノードと、が直列に接続されて構成される通信ネットワーク全般に適用することができる。
【０１３５】
また、上述した実施の形態２においては、２つのリング型の通信ネットワークが接続されて構成されたメッシュ型の通信ネットワークについて説明したが、メッシュ型の通信ネットワークは、一般的に、複数のリング型の通信ネットワークが互いに接続されたものと見なすことができる。このため、上述したメッシュ型の通信ネットワーク以外のメッシュ型の通信ネットワークに対しても本発明を適用することができる。
【産業上の利用可能性】
【０１３６】
以上のように、この発明にかかる通信ネットワークおよび設計方法は、起点ノードを起点として分散補償設計を行う通信ネットワークおよび設計方法に有用であり、特に、高速な伝送を行う通信ネットワークを低コストで設計する場合に適している。
【０１３７】
上述した実施の形態に関し、さらに以下の付記を開示する。
【０１３８】
（付記１）起点ノードと、前記起点ノードを起点として分散補償設計を行う複数のノードと、を含む通信ネットワークであって、
通過させる光信号の残留分散量が所定の基準残留分散量となるように可変の分散補償量によって分散補償を行う可変分散補償器を有する起点ノードと、
前記基準残留分散量を基準として選択される固定分散補償器を有する複数のノードと、
を備えることを特徴とする通信ネットワーク。
【０１３９】
（付記２）前記固定分散補償器は、前記起点ノードから出力された光信号を通過させ、通過させた光信号の残留分散量が前記基準残留分散量を基準とした所定の範囲内となる固定の分散補償量によって分散補償を行うことを特徴とする付記１に記載の通信ネットワーク。
【０１４０】
（付記３）前記可変分散補償器は、前記複数のノードのうち、前記起点ノードの前段のノードから出力された光信号の残留分散量が前記基準残留分散量となる分散補償量に設定されることを特徴とする付記１に記載の通信ネットワーク。
【０１４１】
（付記４）前記起点ノードと前記複数のノードとがリング状に接続されることを特徴とする付記１〜３のいずれか一つに記載の通信ネットワーク。
【０１４２】
（付記５）前記起点ノードは、他の通信ネットワークと接続するハブノードであることを特徴とする付記１〜３のいずれか一つに記載の通信ネットワーク。
【０１４３】
（付記６）前記他の通信ネットワークは、前記ハブノードを起点として分散補償設計を行う複数のノードを含む通信ネットワークであることを特徴とする付記５に記載の通信ネットワーク。
【０１４４】
（付記７）付記１〜３のいずれか一つに記載の通信ネットワークが備える前記起点ノードおよび前記複数のノードのうちいずれかのノードと接続するハブノードを備える通信ネットワークであって、
前記ハブノードは、通過させる光信号に対して可変の分散補償量によって分散補償を行う可変分散補償器を有することを特徴とする通信ネットワーク。
【０１４５】
（付記８）可変分散補償器を有する起点ノードと、固定分散補償器を有する複数のノードと、を含む通信ネットワークの分散補償の設計方法であって、
前記起点ノードを通過した光信号の残留分散量を基準残留分散量として前記複数のノードが有するそれぞれの固定分散補償器を選択する選択工程と、
前記可変分散補償器の分散補償量を設定する設定工程と、
を含むことを特徴とする設計方法。
【０１４６】
（付記９）前記設定工程では、前記複数のノードのうち、前記起点ノードの前段のノードから出力された光信号の残留分散量が前記基準残留分散量となる分散補償量に設定されることを特徴とする付記８に記載の設計方法。
【符号の説明】
【０１４７】
１００，８００  通信ネットワーク
１１０，１２０，８１０，８２０，８３０  経路
２１２  増幅器
２２０  分波器
２３０  分岐挿入部
２４０  合波器
２５０  ポストアンプ部
【国際調査報告】
2009008042.tif 000023
2009008042.tif 000024
2009008042.tif 000025